(57)【要約】【課題】  バレルめっきクワッド・フラット・ノーリード(QFN)パッケージ構造及びその製造方法【解決手段】  バレルめっきクワッド・フラット・ノーリード(QFN)パッケージ構造及びその製造方法方法は次を含む：複数のQFNコンポーネントのため金属基板を提供すること；金属基板の上面に第一フォトレジスト膜を形成すること；第一フォトレジスト膜にめっきグパターンを形成すること；複数のインナーリードを含む第一の金属層を形成すること（4）；複数のI/Oパッドを形成するために基板の裏面から基板をエッチングすること（2)；エッチングされた領域内にシール材（lO）を充填すること；基板の上面上所定領域に少なくとも一つのダイ（5）を取り付けること； 金属ワイヤ（6）を用いてダイとインナーリードを接続すること；ダイ、インナーリード、成形化合物と金属ワイヤを封止すること；QFN構成要素を個々に分離すること；そしてI/Oパッドの裏面に第二の金属層（9）を形成すること。
2015503233.tif 000002
【特許請求の範囲】
【請求項１】
バレルめっきクワッド・フラット・ノーリード（QFN）パッケージ構造の製造方法、以下を含む：
複数のQFNコンポーネントのため金属基板を提供する工程；
金属基板の上面に第一フォトレジスト膜を形成する工程；
フォトリソグラフィを用いて第一フォトレジスト膜のめっきグパターンを形成する工程；
複数のインナーリードのリードピッチが大幅に低減されるように、第一のフォトレジスト膜にめっきパターンをマスクとして用いる多層の電気めっき処理により各QFNコンポーネント複数の複数のインナーリードを含む第一の金属層を形成する工程；
複数のQFN構成要素の各々に金属基板の表面上の所定の領域に少なくとも一つのダイを取り付ける工程；
複数のQFN構成要素の各々にワイヤボンディングプロセスにより金属ワイヤを用いてダイと複数のインナーリードを接続する工程；
複数のQFN構成要素の各々にダイ、複数のインナーリードおよび金属ワイヤを成形化合物で封止する工程；
複数のQFN構成要素の各々に複数のインナーリードに対応する複数のI/Oパッドを形成するために金属基板の裏面から金属基板をエッチングする工程；
金属基板の裏面にエッチングされた領域内にシール材を充填する工程；
パッケージ切断工程によって、複数のQFN構成要素を個々のQFN構成要素に分離する工程；及び
バレルめっき処理により、個々のQFN構成要素にI/Oパッドの裏面上に第二の金属層を形成する。
【請求項２】
請求項1に記載の方法であって、ここで：
第一フォトレジスト膜を形成する工程はさらに以下を含む：
多層の電気めっき処理中に金属基板を保護するために金属基板の裏面上に第二のフォトレジスト膜を形成する工程；及び
第一の金属層を形成する工程はさらに以下を含む：
第一のフォトレジスト膜及び第二のフォトレジスト膜を除去する工程。
【請求項３】
請求項3に記載の方法であって、更に金属基板をエッチングすることは以下を含む：
金属基板の裏面に第三フォトレジスト膜を形成する工程；
エッチングプロセスから金属基板を保護するため封止材料を含めて金属基板の上に第四フォトレジスト膜を形成する工程；
フォトリソグラフィを用いて第三フォトレジスト膜のエッチンググパターンを形成する工程；
金属基板の裏面上に第三フォトレジスト膜のエッチングパターンをマスクとして用いて金属基板をエッチングする工程；及び
第三のフォトレジスト膜及び第四のフォトレジスト膜を除去する工程。
【請求項４】
請求項1に記載の方法であって、さらに以下を含む：
多層の電気めっき処理により、所定の領域に対応する金属基板の上面上に一つまたは複数のインナーダイパッドを形成する工程、そこにはダイが接着材料によって一つまたは複数のインナーダイパッドに取り付けられる。
【請求項５】
請求項1に記載の方法であって、ここで：
複数のI/Oパッドは、シングルリング構成に配置される；及び
複数のインナーリードも、対応シングルリング構成に配置される。
【請求項６】
請求項1に記載の方法であって、ここで：
複数のI/Oパッドは、マルチリング構成に配置される；及び
複数のインナーリードも、対応マルチリング構成に配置される。
【請求項７】
請求項1に記載の方法であって、さらに以下を含む：
接着材料によって複数のインナーリードの間に結合された一つまたは複数の受動素子。
【請求項８】
請求項1に記載の方法であって、さらに以下を含む：
所定の領域とI/Oパッドの複数との間の金属基板に基づいて、アウター静電放電リングを形成する工程；
アウター静電放電リングの上面にインナー静電放電リングを形成する工程；及び
インナー静電放電リングとダイを接続する工程。
【請求項９】
請求項2に記載の方法であって、更にダイを取り付けることは以下を含む：
所定の領域と少なくとも一つのダイに対応するエッチングプロセスにおいて、少なくとも一つのアウターダイパッドを形成する工程；及び
そこには取り付ける第はさらに以下を含む：
接着材料を介して対応アウターダイパッドの上面にダイを取り付ける工程。
【請求項１０】
請求項5に記載の方法であって、更にダイを取り付けることは以下を含む：
所定の領域と少なくとも一つのダイに対応するエッチングプロセスにおいて、少なくとも一つのアウターダイパッドを形成する工程、
そこにはインナーダイパッドが多層めっきプロセスによって対応アウターダイパッドの上面に形成される。
【請求項１１】
バレルめっきクワッド・フラット・ノーリード(QFN)パッケージ構造は以下を含む：
金属基材；
金属基板の上面に結合された第一ダイ；
複数の金属基板上に基づいて形成されたI/Oパッド；
複数のインナーリードのリードピッチが大幅に低減されるように、複数のI/Oパッドに対応し、ダイの近傍に延び、そして多層の電気めっき処理によって金属基板上に形成される複数のインナーリードを含む第一金属層；
ダイと複数のインナーリードを接続する金属細線；
複バレルめっき処理により数のI/Oパッドの裏面に取り付ける第二金属層；及び
I/Oパッドの周辺部内および金属基板の裏面にI/Oパッドのリード間の領域に充填した封止材。
そこにダイ、複数のインナーリードおよび金属ワイヤは、成形化合物で封止されている。
【請求項１２】
請求項11に記載のバレルめっきQFNパッケージ構造であって、ここで：
金属基板の裏面に形成された第一アウターダイパッド、そこにはダイが接着材料によってアウターダイパッドの上面に取り付けられる。
【請求項１３】
請求項11に記載のバレルめっきQFNパッケージ構造であって、ここで：
多層の電気めっきプロセスによって形成されたインナーダイパッド、そこにはダイが接着材料によってインナーダイパッドの上面に取り付けられる。
【請求項１４】
請求項11に記載のバレルめっきQFNパッケージ構造であって、ここで：
複数のI/Oパッドは、シングルリング構成に配置される；及び
複数のインナーリードも、対応シングルリング構成に配置される。
【請求項１５】
請求項11に記載のバレルめっきQFNパッケージ構造であって、ここで：
複数のI/Oパッドは、マルチリング構成に配置される；及び
複数のインナーリードも、対応マルチリング構成に配置される。
【請求項１６】
請求項11に記載のバレルめっきQFNパッケージ構造であって、さらに以下を含む：
接着材料によって複数のインナーリードのリード線との間に結合された一つまたは複数の受動素子。
【請求項１７】
請求項12に記載のバレルめっきQFNパッケージ構造であって、さらに以下を含む：
アウターダイパッドとI/Oパッドとの間の金属基板に基づいて形成されるアウター静電放電リング；及び
アウター静電放電リングの上面に形成されたインナー静電放電リング、ダイに接続される。
【請求項１８】
請求項12に記載のバレルめっきQFNパッケージ構造であって、さらに以下を含む：
第一のアウターダイパッドに対してサイドバイサイド構成で形成された第二のアウターダイパッド；及び
第二アウターダイパッドの上面に結合された第二のダイ、そこには第一のダイおよび第二のダイが金属ワイヤで接続される。
【発明の詳細な説明】
【技術分野】
【０００１】
関連出願の相互参照
本出願は、中国特許出願201110387783.X号の半導体パッケージング技術に出願された優先権を主張し、参照することによりその全体が本明細書に組み込まれる。
【０００２】
本発明は、一般に、半導体組み立ておよびパッケージングに関し、そして、より具体的には、クワッド・フラット・ノーリード（QFN）パッケージング技術に関する。
【背景技術】
【０００３】
半導体パッケージング工程において使用される従来リードフレーム構造は主に2つの種類がある。第一のタイプの場合、図77に示すように、金属基板上に化学エッチング及び電気メッキ（またはメッキのみ）を行った後、高温耐熱性フィルムの層は、金属基板の裏面に貼付され、パッケージング工程に使用されるリードフレームキャリアを形成する。
【０００４】
第二のタイプの場合、図79に示すように、化学ハーフエッチングは先ず、金属基板の裏面に行われ、および化学的にハーフエッチングされた領域は、封止材料で封止される。また、インナーリードの化学ハーフエッチングは、金属基板の表面上で実施し、リードフレームを完了するように、リードフレームのインナーリードの表面にめっきが続く。
【発明の開示】
【発明が解決しようとする課題】
【０００５】
しかし、リードフレームのこれらの二つのタイプは、パッケージングプロセスにおいていくつかの欠点を有している。例えば、第一のタイプでは、以下の問題が含まれる：
1) 高価な高温フィルムが金属基板の裏面に貼付されなければならないので、製造コストは直接的に増加する；
2) 包装工程のダイ取付プロセスにおいて、高温耐熱性フィルムが金属基板の裏面に貼付されなければならないこともあるため、ダイ取付工程に使用できるのはエポキシのみに限り、共晶プロセスまたは軟質はんだ技術などの特定の技術を使用することができずため、大幅に利用可能な製品の選択は制限される；
3) 包装工程のワイヤボンディングプロセスにおいて、高温耐熱性フィルムが金属基板の裏面に貼付されなければならないこともあるため、高温耐性フィルムが軟質材料の一種であり、ワイヤボンディングパラメータは、不安定になることがあり、ワイヤボンディングの品質、製品の信頼性と安定性に深刻な影響を与える；及び
4) 成形プロセスにおいて、高温耐熱性フィルムが金属基板の裏面に貼付されなければならないこともあるため、成形時の成形圧力は、リードフレーム及び高温耐熱性フィルムとの間に特定のモールドブリーディングを引き起こす恐れがあり、図78に示すように、導電性の金属リードを絶縁リードに変更することがある（図の左側にある特定の金属リードは、材料ブリーディングで絶縁されている）。
【０００６】
第二のタイプ従来のリードフレーム構造では、以下の問題が含まれる：
1) リードフレームのエッチング工程が二回実施されたため、製造コストが増える可能性がある；
2) リードフレームの組成が金属材料および化合物であるため、高温および低温環境下で動作する場合、リードフレームは、異なる材料の異なる膨張および収縮応力によりワーピングされることがある；
3) リードフレームの反りは、ダイ取付プロセスの精度に影響を与える恐れがあり、またダイ取付工程にワーピングリードフレームのスムーズ転送に与える影響のため、製造歩留まりに影響を与える可能性がある；
4) リードフレームの反りは、ワイヤボンディングの位置合わせ精度にも影響を与える恐れがあり、またワイヤボンディング工程にワーピングリードフレームのスムーズ転送に与える影響のため、製造歩留まりに影響を与える可能性がある；及び
5) インナーリードがエッチング技術を用いてリードフレームの上面に形成されるため、インナーリードの幅は
2015503233.tif 000003
よりも大きく、二つの隣接するインナーリード間の距離も
2015503233.tif 000004
より大きくなるようにする必要がある。これにより、インナーリードの高密度化を達成することは困難であり得る。
【課題を解決するための手段】
【０００７】
開示された方法及びシステムは、一つ以上の上記の問題および他の問題を解決するためになされている。
【０００８】
本開示の一態様はバレルめっきクワッド・フラット・ノーリード（QFN）パッケージ構造の製造方法である。この方法は、QFNコンポーネント複数に金属基板を設え、金属基板の上面に第一のフォトレジスト膜を形成し、フォトリソグラフィを用いて第一のフォトレジスト膜のめっきパターンを形成することを含む。この方法はまた、複数のインナーリードのリードピッチが大幅に低減されるように、第一のフォトレジスト膜にめっきパターンをマスクとして用いる多層の電気めっき処理により各QFNコンポーネント複数の複数のインナーリードを含む第一の金属層を形成することを含む。さらに、この方法は、各QFNコンポーネント複数に対して金属基板の表面上の所定の領域に少なくとも一つのダイを装着し、ワイヤボンディング法により金属ワイヤを用いて複数のインナーリードとダイとを接続することを含む。この方法はまた各QFNコンポーネント複数にダイ、成形コンパウンドで複数のインナーリードと金属ワイヤを封止、複数のインナーリードに対応した複数のI/Oパッドを形成するため金属基板の裏面から金属基板をエッチングすることも含む。さらに、この方法は、金属基板の裏面にエッチングされた領域内に封止材を充填すること、パッケージ切断工程によってQFNコンポーネントの複数を個々のQFNコンポーネントに分離すること、そしてバレルめっき処理により、個々のQFNコンポーネントに対しI/Oパッドの裏面上に第二金属層を形成することを含む。
【０００９】
バレルめっきクワッド・フラット・ノーリード（QFN）パッケージ構造は本開示の別の一態様である。バレルめっきQFNパッケージ構造は、金属基板、金属基板の上面に結合された第一のダイ、金属基板上に基づいて形成された複数のI/Oパッドを含む。バレルめっきQFNパッケージ構造はまた、I/Oパッドに対応する複数のインナーリードを含み、複数のダイの近傍に延びる第一の金属層を含む。第一金属層は、複数のインナーリードのリードピッチが大幅に低減されるように、多層の電気めっき処理によって金属基板上に形成される。さらに、バレルめっきQFNパッケージ構造は、ダイと複数のインナーリードを接続する金属ワイヤとバレルめっきプロセスにより複数のI/Oパッドの裏面に取り付けられた第二の金属層を含む。また、バレルめっきQFNパッケージ構造は、I/Oパッドの周辺部内および金属基板の裏面にI/Oパッドのリード間の領域に充填した封止材を含む。ダイ、複数のインナーリードおよび金属ワイヤは、成形化合物で封止されている。
【発明の効果】
【００１０】
本開示の他の態様は、本発明の説明書、特許請求の範囲、及び図面を考慮して解釈することができる。
【図面の簡単な説明】
【００１１】
【図１】開示された実施形態と一致する例示的なバレルめっきQFNパッケージ構造を製造するための例示的な工程を説明する図である。
【図２】開示された実施形態と一致する例示的なバレルめっきQFNパッケージ構造を製造するための例示的な工程を説明する図である。
【図３】開示された実施形態と一致する例示的なバレルめっきQFNパッケージ構造を製造するための例示的な工程を説明する図である。
【図４】開示された実施形態と一致する例示的なバレルめっきQFNパッケージ構造を製造するための例示的な工程を説明する図である。
【図５】開示された実施形態と一致する例示的なバレルめっきQFNパッケージ構造を製造するための例示的な工程を説明する図である。
【図６】開示された実施形態と一致する例示的なバレルめっきQFNパッケージ構造を製造するための例示的な工程を説明する図である。
【図７】開示された実施形態と一致する例示的なバレルめっきQFNパッケージ構造を製造するための例示的な工程を説明する図である。
【図８】開示された実施形態と一致する例示的なバレルめっきQFNパッケージ構造を製造するための例示的な工程を説明する図である。
【図９】開示された実施形態と一致する例示的なバレルめっきQFNパッケージ構造を製造するための例示的な工程を説明する図である。
【図１０】開示された実施形態と一致する例示的なバレルめっきQFNパッケージ構造を製造するための例示的な工程を説明する図である。
【図１１】開示された実施形態と一致する例示的なバレルめっきQFNパッケージ構造を製造するための例示的な工程を説明する図である。
【図１２】開示された実施形態と一致する例示的なバレルめっきQFNパッケージ構造を製造するための例示的な工程を説明する図である。
【図１３】開示された実施形態と一致する例示的なバレルめっきQFNパッケージ構造を製造するための例示的な工程を説明する図である。
【図１４】開示された実施形態と一致する例示的なバレルめっきQFNパッケージ構造を製造するための例示的な工程を説明する図である。
【図１５】開示された実施形態と一致する例示的なバレルめっきQFNパッケージ構造を製造するための例示的な工程を説明する図である。
【図１６（Ａ）】開示された実施形態と一致する例示的なバレルめっきQFNパッケージ 構造を説明する図である。
【図１６（Ｂ）】開示された実施形態と一致する例示的なバレルめっきQFNパッケージ 構造を説明する図である。
【図１７（Ａ）】開示された実施形態と一致する他の例示的なバレルめっきQFNパッケージ 構造を説明する図である。
【図１７（Ｂ）】開示された実施形態と一致する他の例示的なバレルめっきQFNパッケージ 構造を説明する図である。
【図１８（Ａ）】開示された実施形態と一致する他の例示的なバレルめっきQFNパッケージ 構造を説明する図である。
【図１８（Ｂ）】開示された実施形態と一致する他の例示的なバレルめっきQFNパッケージ 構造を説明する図である。
【図１９（Ａ）】開示された実施形態と一致する他の例示的なバレルめっきQFNパッケージ 構造を説明する図である。
【図１９（Ｂ）】開示された実施形態と一致する他の例示的なバレルめっきQFNパッケージ 構造を説明する図である。
【図２０（Ａ）】開示された実施形態と一致する他の例示的なバレルめっきQFNパッケージ 構造を説明する図である。
【図２０（Ｂ）】開示された実施形態と一致する他の例示的なバレルめっきQFNパッケージ 構造を説明する図である。
【図２１（Ａ）】開示された実施形態と一致する他の例示的なバレルめっきQFNパッケージ 構造を説明する図である。
【図２１（Ｂ）】開示された実施形態と一致する他の例示的なバレルめっきQFNパッケージ 構造を説明する図である。
【図２２（Ａ）】開示された実施形態と一致する他の例示的なバレルめっきQFNパッケージ 構造を説明する図である。
【図２２（Ｂ）】開示された実施形態と一致する他の例示的なバレルめっきQFNパッケージ 構造を説明する図である。
【図２３（Ａ）】開示された実施形態と一致する他の例示的なバレルめっきQFNパッケージ 構造を説明する図である。
【図２３（Ｂ）】開示された実施形態と一致する他の例示的なバレルめっきQFNパッケージ 構造を説明する図である。
【図２４（Ａ）】開示された実施形態と一致する他の例示的なバレルめっきQFNパッケージ 構造を説明する図である。
【図２４（Ｂ）】開示された実施形態と一致する他の例示的なバレルめっきQFNパッケージ 構造を説明する図である。
【図２５（Ａ）】開示された実施形態と一致する他の例示的なバレルめっきQFNパッケージ 構造を説明する図である。
【図２５（Ｂ）】開示された実施形態と一致する他の例示的なバレルめっきQFNパッケージ 構造を説明する図である。
【図２６（Ａ）】開示された実施形態と一致する他の例示的なバレルめっきQFNパッケージ 構造を説明する図である。
【図２６（Ｂ）】開示された実施形態と一致する他の例示的なバレルめっきQFNパッケージ 構造を説明する図である。
【図２７（Ａ）】開示された実施形態と一致する他の例示的なバレルめっきQFNパッケージ 構造を説明する図である。
【図２７（Ｂ）】開示された実施形態と一致する他の例示的なバレルめっきQFNパッケージ 構造を説明する図である。
【図２８（Ａ）】開示された実施形態と一致する他の例示的なバレルめっきQFNパッケージ 構造を説明する図である。
【図２８（Ｂ）】開示された実施形態と一致する他の例示的なバレルめっきQFNパッケージ 構造を説明する図である。
【図２９（Ａ）】開示された実施形態と一致する他の例示的なバレルめっきQFNパッケージ 構造を説明する図である。
【図２９（Ｂ）】開示された実施形態と一致する他の例示的なバレルめっきQFNパッケージ 構造を説明する図である。
【図３０（Ａ）】開示された実施形態と一致する他の例示的なバレルめっきQFNパッケージ 構造を説明する図である。
【図３０（Ｂ）】開示された実施形態と一致する他の例示的なバレルめっきQFNパッケージ 構造を説明する図である。
【図３１（Ａ）】開示された実施形態と一致する他の例示的なバレルめっきQFNパッケージ 構造を説明する図である。
【図３１（Ｂ）】開示された実施形態と一致する他の例示的なバレルめっきQFNパッケージ 構造を説明する図である。
【図３２（Ａ）】開示された実施形態と一致する他の例示的なバレルめっきQFNパッケージ 構造を説明する図である。
【図３２（Ｂ）】開示された実施形態と一致する他の例示的なバレルめっきQFNパッケージ 構造を説明する図である。
【図３３（Ａ）】開示された実施形態と一致する他の例示的なバレルめっきQFNパッケージ 構造を説明する図である。
【図３３（Ｂ）】開示された実施形態と一致する他の例示的なバレルめっきQFNパッケージ 構造を説明する図である。
【図３４（Ａ）】開示された実施形態と一致する他の例示的なバレルめっきQFNパッケージ 構造を説明する図である。
【図３４（Ｂ）】開示された実施形態と一致する他の例示的なバレルめっきQFNパッケージ 構造を説明する図である。
【図３５（Ａ）】開示された実施形態と一致する他の例示的なバレルめっきQFNパッケージ 構造を説明する図である。
【図３５（Ｂ）】開示された実施形態と一致する他の例示的なバレルめっきQFNパッケージ 構造を説明する図である。
【図３６（Ａ）】開示された実施形態と一致する他の例示的なバレルめっきQFNパッケージ 構造を説明する図である。
【図３６（Ｂ）】開示された実施形態と一致する他の例示的なバレルめっきQFNパッケージ 構造を説明する図である。
【図３７（Ａ）】開示された実施形態と一致する他の例示的なバレルめっきQFNパッケージ 構造を説明する図である。
【図３７（Ｂ）】開示された実施形態と一致する他の例示的なバレルめっきQFNパッケージ 構造を説明する図である。
【図３８（Ａ）】開示された実施形態と一致する他の例示的なバレルめっきQFNパッケージ 構造を説明する図である。
【図３８（Ｂ）】開示された実施形態と一致する他の例示的なバレルめっきQFNパッケージ 構造を説明する図である。
【図３９（Ａ）】開示された実施形態と一致する他の例示的なバレルめっきQFNパッケージ 構造を説明する図である。
【図３９（Ｂ）】開示された実施形態と一致する他の例示的なバレルめっきQFNパッケージ 構造を説明する図である。
【図４０（Ａ）】開示された実施形態と一致する他の例示的なバレルめっきQFNパッケージ 構造を説明する図である。
【図４０（Ｂ）】開示された実施形態と一致する他の例示的なバレルめっきQFNパッケージ 構造を説明する図である。
【図４１（Ａ）】開示された実施形態と一致する他の例示的なバレルめっきQFNパッケージ 構造を説明する図である。
【図４１（Ｂ）】開示された実施形態と一致する他の例示的なバレルめっきQFNパッケージ 構造を説明する図である。
【図４２（Ａ）】開示された実施形態と一致する他の例示的なバレルめっきQFNパッケージ 構造を説明する図である。
【図４２（Ｂ）】開示された実施形態と一致する他の例示的なバレルめっきQFNパッケージ 構造を説明する図である。
【図４３（Ａ）】開示された実施形態と一致する他の例示的なバレルめっきQFNパッケージ 構造を説明する図である。
【図４３（Ｂ）】開示された実施形態と一致する他の例示的なバレルめっきQFNパッケージ 構造を説明する図である。
【図４４（Ａ）】開示された実施形態と一致する他の例示的なバレルめっきQFNパッケージ 構造を説明する図である。
【図４４（Ｂ）】開示された実施形態と一致する他の例示的なバレルめっきQFNパッケージ 構造を説明する図である。
【図４５（Ａ）】開示された実施形態と一致する他の例示的なバレルめっきQFNパッケージ 構造を説明する図である。
【図４５（Ｂ）】開示された実施形態と一致する他の例示的なバレルめっきQFNパッケージ 構造を説明する図である。
【図４６（Ａ）】開示された実施形態と一致する他の例示的なバレルめっきQFNパッケージ 構造を説明する図である。
【図４６（Ｂ）】開示された実施形態と一致する他の例示的なバレルめっきQFNパッケージ 構造を説明する図である。
【図４７（Ａ）】開示された実施形態と一致する他の例示的なバレルめっきQFNパッケージ 構造を説明する図である。
【図４７（Ｂ）】開示された実施形態と一致する他の例示的なバレルめっきQFNパッケージ 構造を説明する図である。
【図４８（Ａ）】開示された実施形態と一致する他の例示的なバレルめっきQFNパッケージ 構造を説明する図である。
【図４８（Ｂ）】開示された実施形態と一致する他の例示的なバレルめっきQFNパッケージ 構造を説明する図である。
【図４９（Ａ）】開示された実施形態と一致する例示的なバレルめっきQFNパッケージ 構造を説明する図である。
【図４９（Ｂ）】開示された実施形態と一致する例示的なバレルめっきQFNパッケージ 構造を説明する図である。
【図５０（Ａ）】開示された実施形態と一致する他の例示的なバレルめっきQFNパッケージ 構造を説明する図である。
【図５０（Ｂ）】開示された実施形態と一致する他の例示的なバレルめっきQFNパッケージ 構造を説明する図である。
【図５１（Ａ）】開示された実施形態と一致する他の例示的なバレルめっきQFNパッケージ 構造を説明する図である。
【図５１（Ｂ）】開示された実施形態と一致する他の例示的なバレルめっきQFNパッケージ 構造を説明する図である。
【図５２（Ａ）】開示された実施形態と一致する他の例示的なバレルめっきQFNパッケージ 構造を説明する図である。
【図５２（Ｂ）】開示された実施形態と一致する他の例示的なバレルめっきQFNパッケージ 構造を説明する図である。
【図５３（Ａ）】開示された実施形態と一致する他の例示的なバレルめっきQFNパッケージ 構造を説明する図である。
【図５３（Ｂ）】開示された実施形態と一致する他の例示的なバレルめっきQFNパッケージ 構造を説明する図である。
【図５４（Ａ）】開示された実施形態と一致する他の例示的なバレルめっきQFNパッケージ 構造を説明する図である。
【図５４（Ｂ）】開示された実施形態と一致する他の例示的なバレルめっきQFNパッケージ 構造を説明する図である。
【図５５（Ａ）】開示された実施形態と一致する他の例示的なバレルめっきQFNパッケージ 構造を説明する図である。
【図５５（Ｂ）】開示された実施形態と一致する他の例示的なバレルめっきQFNパッケージ 構造を説明する図である。
【図５６（Ａ）】開示された実施形態と一致する他の例示的なバレルめっきQFNパッケージ 構造を説明する図である。
【図５６（Ｂ）】開示された実施形態と一致する他の例示的なバレルめっきQFNパッケージ 構造を説明する図である。
【図５７（Ａ）】開示された実施形態と一致する他の例示的なバレルめっきQFNパッケージ 構造を説明する図である。
【図５７（Ｂ）】開示された実施形態と一致する他の例示的なバレルめっきQFNパッケージ 構造を説明する図である。
【図５８（Ａ）】開示された実施形態と一致する他の例示的なバレルめっきQFNパッケージ 構造を説明する図である。
【図５８（Ｂ）】開示された実施形態と一致する他の例示的なバレルめっきQFNパッケージ 構造を説明する図である。
【図５９（Ａ）】開示された実施形態と一致する他の例示的なバレルめっきQFNパッケージ 構造を説明する図である。
【図５９（Ｂ）】開示された実施形態と一致する他の例示的なバレルめっきQFNパッケージ 構造を説明する図である。
【図６０（Ａ）】開示された実施形態と一致する他の例示的なバレルめっきQFNパッケージ 構造を説明する図である。
【図６０（Ｂ）】開示された実施形態と一致する他の例示的なバレルめっきQFNパッケージ 構造を説明する図である。
【図６１（Ａ）】開示された実施形態と一致する他の例示的なバレルめっきQFNパッケージ 構造を説明する図である。
【図６１（Ｂ）】開示された実施形態と一致する他の例示的なバレルめっきQFNパッケージ 構造を説明する図である。
【図６２（Ａ）】開示された実施形態と一致する他の例示的なバレルめっきQFNパッケージ 構造を説明する図である。
【図６２（Ｂ）】開示された実施形態と一致する他の例示的なバレルめっきQFNパッケージ 構造を説明する図である。
【図６３（Ａ）】開示された実施形態と一致する他の例示的なバレルめっきQFNパッケージ 構造を説明する図である。
【図６３（Ｂ）】開示された実施形態と一致する他の例示的なバレルめっきQFNパッケージ 構造を説明する図である。
【図６４（Ａ）】開示された実施形態と一致する他の例示的なバレルめっきQFNパッケージ 構造を説明する図である。
【図６４（Ｂ）】開示された実施形態と一致する他の例示的なバレルめっきQFNパッケージ 構造を説明する図である。
【図６５（Ａ）】開示された実施形態と一致する他の例示的なバレルめっきQFNパッケージ 構造を説明する図である。
【図６５（Ｂ）】開示された実施形態と一致する他の例示的なバレルめっきQFNパッケージ 構造を説明する図である。
【図６６（Ａ）】開示された実施形態と一致する他の例示的なバレルめっきQFNパッケージ 構造を説明する図である。
【図６６（Ｂ）】開示された実施形態と一致する他の例示的なバレルめっきQFNパッケージ 構造を説明する図である。
【図６７（Ａ）】開示された実施形態と一致する他の例示的なバレルめっきQFNパッケージ 構造を説明する図である。
【図６７（Ｂ）】開示された実施形態と一致する他の例示的なバレルめっきQFNパッケージ 構造を説明する図である。
【図６８（Ａ）】開示された実施形態と一致する他の例示的なバレルめっきQFNパッケージ 構造を説明する図である。
【図６８（Ｂ）】開示された実施形態と一致する他の例示的なバレルめっきQFNパッケージ 構造を説明する図である。
【図６９（Ａ）】開示された実施形態と一致する他の例示的なバレルめっきQFNパッケージ 構造を説明する図である。
【図６９（Ｂ）】開示された実施形態と一致する他の例示的なバレルめっきQFNパッケージ 構造を説明する図である。
【図７０（Ａ）】開示された実施形態と一致する他の例示的なバレルめっきQFNパッケージ 構造を説明する図である。
【図７０（Ｂ）】開示された実施形態と一致する他の例示的なバレルめっきQFNパッケージ 構造を説明する図である。
【図７１（Ａ）】開示された実施形態と一致する他の例示的なバレルめっきQFNパッケージ 構造を説明する図である。
【図７１（Ｂ）】開示された実施形態と一致する他の例示的なバレルめっきQFNパッケージ 構造を説明する図である。
【図７２（Ａ）】開示された実施形態と一致する他の例示的なバレルめっきQFNパッケージ 構造を説明する図である。
【図７２（Ｂ）】開示された実施形態と一致する他の例示的なバレルめっきQFNパッケージ 構造を説明する図である。
【図７３（Ａ）】開示された実施形態と一致する他の例示的なバレルめっきQFNパッケージ 構造を説明する図である。
【図７３（Ｂ）】開示された実施形態と一致する他の例示的なバレルめっきQFNパッケージ 構造を説明する図である。
【図７４（Ａ）】開示された実施形態と一致する他の例示的なバレルめっきQFNパッケージ 構造を説明する図である。
【図７４（Ｂ）】開示された実施形態と一致する他の例示的なバレルめっきQFNパッケージ 構造を説明する図である。
【図７５（Ａ）】開示された実施形態と一致する他の例示的なバレルめっきQFNパッケージ 構造を説明する図である。
【図７５（Ｂ）】開示された実施形態と一致する他の例示的なバレルめっきQFNパッケージ 構造を説明する図である。
【図７６（Ａ）】開示された実施形態と一致する他の例示的なバレルめっきQFNパッケージ 構造を説明する図である。
【図７６（Ｂ）】開示された実施形態と一致する他の例示的なバレルめっきQFNパッケージ 構造を説明する図である。
【図７７（Ａ）】開示された実施形態と一致する他の例示的なバレルめっきQFNパッケージ 構造を説明する図である。
【図７７（Ｂ）】開示された実施形態と一致する他の例示的なバレルめっきQFNパッケージ 構造を説明する図である。
【図７８（Ａ）】開示された実施形態と一致する他の例示的なバレルめっきQFNパッケージ 構造を説明する図である。
【図７８（Ｂ）】開示された実施形態と一致する他の例示的なバレルめっきQFNパッケージ 構造を説明する図である。
【図７９（Ａ）】開示された実施形態と一致する他の例示的なバレルめっきQFNパッケージ 構造を説明する図である。
【図７９（Ｂ）】開示された実施形態と一致する他の例示的なバレルめっきQFNパッケージ 構造を説明する図である。
【図８０】リードフレーム上に貼り付けられる高温耐熱性フィルムを示す図である。
【図８１】リードフレームと高温耐熱性フィルムとの間の金型ブリーディングを示す図である。
【図８２】両面エッチングリードフレームを示す。
【発明を実施するための形態】
【００１２】
参照は、今、添付の図面に示されているように本発明の例示的な実施形態を詳細に説明する。可能な限り、同じ参照番号は、同一又は同様の部品を指すために図面全体を通して使用される。
【００１３】
図16(A)と図16(B)は、開示された実施形態と一致する例示的なバレルめっきクワッド・フラット・ノーリード（QFN）パッケージ 構造を説明する図である。図16（A）は図16（B）の断面図である。
【００１４】
図16（A）及び図16（B）に示すように、バレルめっきQFNパッケージ構造は、複数のインプット/アウトプット（I/O）パッド2、複数のインナーリード4、ダイ5、金属ワイヤ6、EMC化合物などの封止材7を含む。特定の構成要素が省略され、そして他の成分も含まれることもある。
【００１５】
ダイ5は、組み立て又は包装される任意の既製の半導体チップを含むことができる。I/Oパッド2は、ダイ5の近くにのびるためのトレースまたは複数の金属パッドを含み、そしてインナーリード4を介してダイ5又はバレルめっきQFNパッケージ構造内の任意の他の構成要素に、外部接続を提供することができる。 I/Oパッド2は長方形などの任意の適切な形状である。I/Oパッド2の複数のパッドは、アレイ構成または任意の他の適切な構成内に配置される。例えば、図16（B）に示すように、特定の実施形態において、I/Oパッド2は単一のリング構成に配置されている。
【００１６】
ダイ5は、エポキシ、軟質はんだ、または他の導電性または非導電性材料などの導電性または非導電性接着材8を介して他の平面の支持構造または基板の上面に実装される。また、I/Oパッド2の上面から、マルチめっきなどの電気めっき（または単にメッキ）プロセスはインナーリード4を形成するために使用される。具体的には、複数の層は隣接インナーリード（すなわち、インナーリードピッチ）との間の距離を実質的に低減させるようにめっきにより形成される。インナーリード4の上面とダイ5の上面は金属ワイヤ6で接続する。また、インナーリード4は、ダイ5をインナーリード4に接続する金属タイヤ6の長さも大幅に低減させるようにリードトレースを介してダイ5に著しく近接して形成される。
【００１７】
すべてのインナーリード4は、第一の金属層と呼ぶことができる。すなわち、第一の金属層は、インナーリード4のすべてのリードを含み、またはインナーリード4は、第一金属層の一部として形成されている。インナーリード4、ダイ5と金属ワイヤ6は、EMC化合物などの封止材7により覆われている。また、基板の裏面側には、シール材10はI/Oパッド2の周辺領域内と各隣接I/Oパッド2の間の領域に充填される。I/Oパッド2の裏面は封止材10から露出され、第二金属層9はI/Oパッド2の裏面に形成される。封止材10は、ノーフィラー化合物または小フィラー化合物などのシーラントの任意の適切なタイプを含む
【００１８】
上述のパッケージ構造の製造方法の詳細は、以下の図面1-15で説明する。プロセスは、複数の成分（パッケージIC）を作製するために使用される。図1に示すように、金属基板11は初めに、リードフレーム製造および包装工程のために設けられる。金属基板11は、複数の構成要素を製造するために使用され、そして複数の構成要素は、構成要素の配列など所定の構成に配置される。製造工程は複数の構成要素に適用することができ、すなわち、複数の構成要素を同じ工程に作ることができる。しかしながら、開示された実施形態によれば、特定のプロセスは、区別せずに複数の構成要素の代わりに個々の構成要素を適用することができる。
【００１９】
金属基板11は、所望の厚さを有し、ダイ5の特定の種類に応じて種々の金属材料から作製される。例えば、金属基板11は、銅、アルミニウム、鉄、銅合金、ステンレス鋼、またはニッケル鉄合金などのひとつから作られることができる。材料の他のタイプを使用することもできる。
【００２０】
また、図2に示すように、フォトレジスト膜12の層とフォトレジスト膜13の層はそれぞれ、金属基板11の上面と裏面上に形成（貼り付けまたはコーティング）される。フォトレジスト膜12および/またはフォトレジスト膜13は、様々な方法を用いて形成することができる。例えば、フォトレジスト膜12および/またはフォトレジスト膜13は表面にコーティングされ、または表面に貼り付けることができる。フォトレジスト膜11及び12は、その後のめっき工程で金属基板11を保護するために使用することができ、フォトレジスト膜11または12はドライフォトレジスト膜又はウェットフォトレジスト膜を含む。フォトレジスト膜の他のタイプを使用することもできる。
【００２１】
さらに、図3に示すように、金属基板11の上面にフォトレジスト膜12の一部はフォトリソグラフィーによりパターンを形成するために除去される。図3に示すように、フォトリソグラフィ装置は、フォトレジスト膜12内のめっきパターンを形成するために、対応マスクを用いてフォトレジスト膜12に露出、現像、エッチングを行うために使用される。めっきパターンは、第一の金属層14、すなわち第一の金属層パターンを形成するために、後続のめっきプロセスに金属基板11の所定領域を露出する。
【００２２】
めっきパターン又は第一金属層パターンを形成した後、 図4に示すように、多層めっきプロセスは、フォトレジスト膜12内のめっきパターンによって露出された金属基板11の領域における第一の金属層14を形成するため行われる。換言すれば、多層めっきプロセスはインナーリード4（第一の金属層14）を形成するためフォトレジスト膜12にパターンをマスクとして用いて金属基板11の上面に行われる。インナーリード4は、後続の工程で形成されるI/Oパッド2に対応して形成され、または対応形状（例えば長方形）および構成（例えばシングルリング構成）に配置される。他の形状および構成を使用することもできる。
【００２３】
インナーリード4がめっきプロセスにより形成されるので、インナーリード4のリードピッチとインナーリード4とダイ5との間の距離は実質的に低減することができる。例えば、インナーリード4は、金属基板11の上面上に細線めっき法により形成される。インナーリード4の幅は約25μmであり、インナーリード4のリードピッチも約25μmである。約100μmの従来のリードフレーム内のリードピッチを比較すると、インナーリード4とインナーリード4のリードピッチの幅は大幅に削減され、そのためインナーリード4の高密度を達成することができる。また、インナーリード4はリードトレースを介してダイ5の近傍まで延びることができる。めっきプロセスを用いて、ダイとインナーリード4との間の距離も大幅に低減することができ、パッケージサイズを実質的に小さくするようにインナーリード4が実質的にダイ5に近くに拡張できる。
【００２４】
第一の金属層14（例えばインナーリード4）は金属材料および/または金属層の構造の任意の適切な層数を含む。例えば、第一の金属層14は、底部から上部までそれぞれ、ニッケル、銅、ニッケル、パラジウム、金、五層を含み、またはニッケル、銅、銀の三層を含むことができる。他の材料、層構造および/または層の数を使用することもできる。
【００２５】
第一の金属層14の異なる金属層は、異なる機能を提供することができる。例えば、五層構造（ニッケル、銅、ニッケル、パラジウム、金）では、ニッケルの下層は、耐浸食性及びバリア層として使用することがで、銅、ニッケルとパラジウムの中間層は、第一の金属層14の厚さを増加させるために使用され、そして金の上層は、ワイヤボンディングのために使用することができる。他の機能も提供され、他の金属の層構造を使用することができる。
【００２６】
さらに、図5に示すように、残りの上面フォトレジスト膜12は除去され、インナーリード4は、金属基板11上に形成されている。裏面フォトレジスト膜13も除去される。
【００２７】
フォトレジスト膜を除去した後、ダイ5は、図6に示すように、ダイ取付工程で、導電性または非導電性接着材料8を用いて金属基板11の所定のダイ領域上に取り付けることができる。金属基板11の所定のダイ領域は、ダイ5を取り付けるための領域に対応することができる。より具体的には、ダイ5はインナーリード4の間またはインナーリード4に囲まれた領域に搭載されまたは取り付けられる。複数のダイは金属基板11上に作られるべきの複数の構成要素に対応する金属基板11の上面に取り付けられる。
【００２８】
図7に示すように、ダイ5の上面とインナーリード4の上面は、ワイヤボンディング工程における金属ワイヤ6に接続されている。図8に示すように、インナーリード4、ダイ5と金属ワイヤ6は、封止材料7を用いてカプセル化されている。例えば、成形装置は、成形化合物によってダイ取り付け及びワイヤボンディングが完成した金属基板11を封止または封入するために使用される。成形後硬化は、成形化合物または他のカプセル化材料が次の製造プロセスの前に硬化させるように行われる。
【００２９】
図9に示すように、封止プロセス（例えば成形と成形後硬化）の後、フォトレジスト膜13の一つの層は、金属基板11の上面に形成され、フォトレジスト膜13の他の層は、金属基板11の裏面に形成される。フォトレジスト膜は、その後のエッチング工程で金属基板11を保護するために使用することができ、フォトレジスト膜はドライフォトレジスト膜又はウェットフォトレジスト膜を含む。フォトレジスト膜の他のタイプを使用することもできる。
【００３０】
さらに、金属基板11の裏面にフォトレジスト膜13の一部はフォトリソグラフィーを用いてパターンを形成するために除去される。図10に示すように、フォトリソグラフィ装置は、フォトレジスト膜13内のエッチングパターンを形成するために、マスクを用いて金属基板11の裏面上にフォトレジスト膜13に露出、現像、エッチングを行うために使用される。エッチングパターンは、I/Oパッド2、すなわちI/Oパッドパターンを形成するために、後続のエッチングプロセスに金属基板11の裏面に所定領域を露出する。
【００３１】
エッチングパターンをフォトレジスト膜13に形成した後、 図11に示すように、エッチングプロセスは、フォトレジスト膜13内のエッチングパターンによって露出された金属基板11の領域における行われる。換言すれば、エッチングプロセスは、フォトレジスト膜13にエッチングパターンをマスクとして用いて金属基板11上で行われる。エッチングプロセスは、フールエッチングとハーフエッチングを含む。エッチングされた領域は、金属基板11の裏面に形成され、I/Oパッド2は、エッチングプロセス後に形成される。
【００３２】
また、図12に示すように、エッチングプロセス後、金属基板11の裏面にエッチングされた領域を露出させるため、金属基板11の裏面上に残ったフォトレジスト膜13を除去し、I/Oパッド2の周辺領域およびI/Oパッド2の各リード間の領域も含まれる。金属基板11の上面にフォトレジスト膜13も除去される。
【００３３】
その後、図13に示すように、金属基板11の裏面のエッチングされた領域は、充填装置を用いて、封止材10で充填されている。成形後の硬化は、封止材10の上で実行される。封止材10は、フノーフィラー化合物または小フィラー化合物など、任意の適切な封止材を含み、一定の高さに充填することができる。これにより、I/Oパッド2は、成形化合物7および封止材10の両方でサポートされる。
【００３４】
その後、図14に示すように、金属基板11上に形成されたカプセル化された複数の構成要素は、パッケージソーイング工程で個々に切断される。すなわち、第二の金属層9を形成する前に、複数の未完成構成要素はパッケージソーイング工程で個々の構成要素に切断される。他の切断方法を使用することもできる。
【００３５】
さらに、図15に示すように、バレルめっき処理は、I/Oパッド2の裏面に第二の金属層9を形成するため個々のコンポーネントに適用されている。バレルめっき処理の後、パッケージICや個々のバレルめっきQFNパッケージング構造は完成する。第二金属層9は、金、ニッケル、銅、パラジウム、銀または錫など様々な材料から作られる。
【００３６】
したがって、シングルリードリングとバレルめっきQFNパッケージ構造を形成することができる。第二の金属層は、バレルめっきプロセスにおいて個々の構成要素の上に形成され、全体金属基板のリードフレーム上に形成されないので、幅及び/又はI/Oパッド2のリードピッチも大幅に低減することができる。例えば、I/Oパッド2は、パッドの幅が約25μmであり、I/Oパッド2のリードピッチが約25μmである。
【００３７】
さらに、バレルめっきQFNパッケージ構造は、様々な異なる構造および構成を含む。例えば、図17（A）及び図17（B）は、別の例示的なバレルめっきQFNパッケージ構造を示す。図17（A）は図17（B）の断面図である。
【００３８】
図17（A）及び図17（B）に示すように、図17（A）及び図17（B）中のバレルめっきQFNパッケージ構造は、図16（A）及び図16（B）中のバレルめっきQFNパッケージ構造に類似している。しかし、図17（A）中のバレルめっきQFNパッケージ構造は、金型5を取り付けるため、またはインナーリード4のリング内の所定の領域に形成されたダイパッド3を含む。インナーダイパッド3も、インナーリード4を形成するため、多層めっきプロセスによって形成される。従って、インナーダイパッド3も、第一の金属層14に含まれる。さらに、ダイ5は、導電性又は非導電性接着材8を介してインナーダイパッド3の上面に取り付けられる。したがって、インナーダイパッドとシングルリードリングとバレルめっきQFNパッケージ構造を形成することができる。
【００３９】
図18（A）及び図18（B）は、別の例示的なバレルめっきQFNパッケージ構造を示す。図18（A）は図18（B）の断面図である。
【００４０】
図18（A）及び図18（B）に示すように、図18（A）及び図18（B）中のバレルめっきQFNパッケージ構造は、図16（A）及び図16（B）中のバレルめっきQFNパッケージ構造に類似している。しかし、図18（A）のバレルめっきQFNパッケージ構造は、導電性または非導電性接着材料8を用いてインナーリード4との間に結合された1つまたは複数の受動素子15を備えている。受動素子15は、ダイ5が取り付けられる前に、またはダイアタッチプロセス中に、インナーリード4の間に結合される。したがって、受動素子で結合されたシングルリードリングとバレルめっきQFNパッケージ構造を形成することができる。
【００４１】
図19（A）及び図19（B）は、別の例示的なバレルめっきQFNパッケージ構造を示す。図19（A）は図19（B）の断面図である。
【００４２】
図19（A）及び図19（B）に示すように、図19（A）及び図19（B）中のバレルめっきQFNパッケージ構造は、図18（A）及び図18（B）中のバレルめっきQFNパッケージ構造に類似している。しかし、図19（A）中のバレルめっきQFNパッケージ構造は、金型5を取り付けるため、またはインナーリード4のリング内の所定の領域に形成されたダイパッド3を含む。インナーダイパッド3も、インナーリード4を形成するため、多層めっきプロセスによって形成される。従って、インナーダイパッド3も、第一の金属層14に含まれる。さらに、ダイ5は、導電性又は非導電性接着材8を介してインナーダイパッド3の上面に取り付けられる。したがって、受動素子で結合されたシングルリードリングとインナーダイパッドとバレルめっきQFNパッケージ構造を形成することができる。
【００４３】
図20（A）及び図20（B）は、別の例示的なバレルめっきQFNパッケージ構造を示す。図20（A）は図20（B）の断面図である。
【００４４】
図20（A）及び図20（B）に示すように、図20（A）及び図20（B）中のバレルめっきQFNパッケージ構造は、図16（A）及び図16（B）中のバレルめっきQFNパッケージ構造に類似している。しかし、図20（A）及び図20（B）中のバレルめっきQFNパッケージ構造はまた、アウター静電放電リング16を含み、インナー静電放電リング17は、I/Oパッドリング内にアウター静電放電リング16の上面に形成される。すなわち、インナー静電放電リング17も、第一の金属層14を形成するため、多層めっきプロセスによって形成される。より具体的には、インナー静電放電リング17は、長方形または正方形などの任意の適切な形状で、ダイ5とインナーリード4との間に配置される。また、ダイ5の上面は、ダイ5がインナー及びアウターの静電放電リング15及び16によって静電から保護するため、金属ワイヤー6によってインナー静電放電リング17の上面に接続される。アウター静電放電リング16とインナー静電放電リング17の両方は、矩形リング等任意の適切な形状である。従って、インナーダイパッド、シングルリードリングおよび静電放電リングを有するバレルめっきQFNパッケージ構造は形成することができる。
【００４５】
図21（A）及び図21（B）は、別の例示的なバレルめっきQFNパッケージ構造を示す。図21（A）は図21（B）の断面図である。
【００４６】
図21（A）及び図21（B）に示すように、図21（A）及び図21（B）中のバレルめっきQFNパッケージ構造は、図20（A）及び図20（B）中のバレルめっきQFNパッケージ構造に類似している。しかし、図21（A）中のバレルめっきQFNパッケージ構造は、金型5を取り付けるため、またはインナーリード4のリング内の所定の領域に形成されたダイパッド3を含む。インナーダイパッド3も、インナーリード4を形成するため、多層めっきプロセスによって形成される。従って、インナーダイパッド3も、第一の金属層14に含まれる。さらに、ダイ5は、導電性又は非導電性接着材8を介してインナーダイパッド3の上面に取り付けられる。したがって、バレルめっきQFNパッケージ構造インナーダイパッド、シングルリードリングと静電放電リングと形成することができる。
【００４７】
図22（A）及び図22（B）は、別の例示的なバレルめっきQFNパッケージ構造を示す。図22（A）は図22（B）の断面図である。
【００４８】
図22（A）及び図22（B）に示すように、図22（A）及び図22（B）中のバレルめっきQFNパッケージ構造は、図20（A）及び図20（B）中のバレルめっきQFNパッケージ構造に類似している。しかし、図22（A）のバレルめっきQFNパッケージ構造は、導電性または非導電性接着材料8を用いてインナーリード4との間に結合された1つまたは複数の受動素子15を備えている。したがって、静電放電リング、受動素子で結合されたシングルリードリングとバレルめっきQFNパッケージ構造を形成することができる。
【００４９】
図23（A）及び図23（B）は、別の例示的なバレルめっきQFNパッケージ構造を示す。図23（A）は図23（B）の断面図である。
【００５０】
図23（A）及び図23（B）に示すように、図23（A）及び図23（B）中のバレルめっきQFNパッケージ構造は、図22（A）及び図22（B）中のバレルめっきQFNパッケージ構造に類似している。しかし、図23（A）中のバレルめっきQFNパッケージ構造は、金型5を取り付けるため、またはインナーリード4のリング内の所定の領域に形成されたインナーダイパッド3を含む。インナーダイパッド3も、インナーリード4を形成するため、多層めっきプロセスによって形成される。従って、インナーダイパッド3も、第一の金属層14に含まれる。さらに、ダイ5は、導電性又は非導電性接着材8を介してインナーダイパッド3の上面に取り付けられる。したがって、インナーダイパッド、静電放電リング、受動素子で結合されたシングルリードリングとバレルめっきQFNパッケージ構造を形成することができる。
【００５１】
図24（A）及び図24（B）は、別の例示的なバレルめっきQFNパッケージ構造を示す。図24（A）は図24（B）の断面図である。
【００５２】
図24（A）及び図24（B）に示すように、図24（A）及び図24（B）中のバレルめっきQFNパッケージ構造は、図16（A）及び図16（B）中のバレルめっきQFNパッケージ構造に類似している。しかし、図24（A）および27（B）中のバレルめっきのQFNパッケージング構造は、I/Oパッド2の複数のリングを含む。換言すれば、I/Oパッド2は複数のリング構成に配置され、複数のリング内のリードは、リードとリードトレースが密接に金型5を載置されるように千鳥又はジグザグ形で配置される。さらに、インナーリード4の複数リングはI/Oパッド2の上面に形成される。すなわち、インナーリード4の複数リングも、第一の金属層14を形成するため、多層めっきプロセスによって形成される。インナーリード4の複数のリングが多層めっきプロセスにより形成されるので、同じリングからのインナーリードのリードピッチと異なるリングからのインナーリードのリードピッチは大幅に低減することができる。したがって、マルチリードリングとバレルめっきQFNパッケージ構造を形成することができる。
【００５３】
図25（A）及び図25（B）は、別の例示的なバレルめっきQFNパッケージ構造を示す。図25（A）は図25（B）の断面図である。
【００５４】
図25（A）及び図25（B）に示すように、図25（A）及び図25（B）中のバレルめっきQFNパッケージ構造は、図24（A）及び図24（B）中のバレルめっきQFNパッケージ構造に類似している。しかし、図25（A）と図28（B）中のバレルめっきQFNパッケージ構造は、金型5を取り付けるため、またはインナーリード4のリング内の所定の領域に形成されたインナーダイパッド3を含む。インナーダイパッド3も、インナーリード4を形成するため、多層めっきプロセスによって形成される。従って、インナーダイパッド3も、第一の金属層14に含まれる。さらに、ダイ5は、導電性又は非導電性接着材8を介してインナーダイパッド3の上面に取り付けられる。したがって、インナーダイパッドとマルチリードリングとバレルめっきQFNパッケージ構造を形成することができる。
【００５５】
図26（A）及び図26（B）は、別の例示的なバレルめっきQFNパッケージ構造を示す。図26（A）は図26（B）の断面図である。
【００５６】
図26（A）及び図26（B）に示すように、図26（A）及び図26（B）中のバレルめっきQFNパッケージ構造は、図24（A）及び図24（B）中のバレルめっきQFNパッケージ構造に類似している。しかし、図26（A）と図29（B）のバレルめっきQFNパッケージ構造は、導電性または非導電性接着材料8を用いてインナーリード4との間に結合された1つまたは複数の受動素子15を備えている。したがって、受動素子で結合されたマルチリードリングとバレルめっきQFNパッケージ構造を形成することができる。
【００５７】
図27（A）及び図27（B）は、別の例示的なバレルめっきQFNパッケージ構造を示す。図27（A）は図27（B）の断面図である。
【００５８】
図27（A）及び図27（B）に示すように、図27（A）及び図27（B）中のバレルめっきQFNパッケージ構造は、図26（A）及び図26（B）中のバレルめっきQFNパッケージ構造に類似している。しかし、図27（A）と図30（B）中のバレルめっきQFNパッケージ構造は、金型5を取り付けるため、またはインナーリード4のリング内の所定の領域に形成されたダイパッド3を含む。インナーダイパッド3も、インナーリード4を形成するため、多層めっきプロセスによって形成される。従って、インナーダイパッド3も、第一の金属層14に含まれる。さらに、ダイ5は、導電性又は非導電性接着材8を介してインナーダイパッド3の上面に取り付けられる。したがって、受動素子で結合されたマルチリードリングとインナーダイパッドとバレルめっきQFNパッケージ構造を形成することができる。
【００５９】
図28（A）及び図28（B）は、別の例示的なバレルめっきQFNパッケージ構造を示す。図28（A）は図28（B）の断面図である。
【００６０】
図28（A）及び図28（B）に示すように、図28（A）及び図28（B）中のバレルめっきQFNパッケージ構造は、図24（A）及び図24（B）中のバレルめっきQFNパッケージ構造に類似している。しかし、図28（A）及び31（B）中のバレルめっきQFNパッケージ構造はまた、アウター静電放電リング16を含み、インナー静電放電リング17は、I/Oパッドリング内にアウター静電放電リング16の上面に形成される。すなわち、インナー静電放電リング17も、第一の金属層14を形成するため、多層めっきプロセスによって形成される。より具体的には、インナー静電放電リング17は、ダイ5とインナーリード4との間に配置される。また、ダイ5の上面は、ダイ5がインナー及びアウターの静電放電リング16及び17によって静電から保護するため、金属ワイヤー6によってインナー静電放電リング17の上面に接続される。第二金属層9もアウター静電放電リング16の裏面に形成される。したがって、静電放電リングとマルチリードリングとバレルめっきQFNパッケージ構造を形成することができる。
【００６１】
図29（A）及び図29（B）は、別の例示的なバレルめっきQFNパッケージ構造を示す。図29（A）は図29（B）の断面図である。
【００６２】
図29（A）及び図29（B）に示すように、図29（A）及び図29（B）中のバレルめっきQFNパッケージ構造は、図28（A）及び図28（B）中のバレルめっきQFNパッケージ構造に類似している。しかし、図29（A）と図32（B）中のバレルめっきQFNパッケージ構造は、金型5を取り付けるため、またはインナーリード4のリング内の所定の領域に形成されたダイパッド3を含む。インナーダイパッド3も、インナーリード4を形成するため、多層めっきプロセスによって形成される。従って、インナーダイパッド3も、第一の金属層14に含まれる。さらに、ダイ5は、導電性又は非導電性接着材8を介してインナーダイパッド3の上面に取り付けられる。したがって、バレルめっきQFNパッケージ構造インナーダイパッド、マルチリードリングと静電放電リングと形成することができる。
【００６３】
図30（A）及び図30（B）は、別の例示的なバレルめっきQFNパッケージ構造を示す。図30（A）は図30（B）の断面図である。
【００６４】
図30（A）及び図30（B）に示すように、図30（A）及び図30（B）中のバレルめっきQFNパッケージ構造は、図28（A）及び図28（B）中のバレルめっきQFNパッケージ構造に類似している。しかし、図30（A）と図33（B）のバレルめっきQFNパッケージ構造は、導電性または非導電性接着材料8を用いてインナーリード4との間に結合された1つまたは複数の受動素子15を備えている。したがって、静電放電リング、受動素子で結合されたマルチリードリングとバレルめっきQFNパッケージ構造を形成することができる。
【００６５】
図31（A）及び図31（B）は、別の例示的なバレルめっきQFNパッケージ構造を示す。図31（A）は図31（B）の断面図である。
【００６６】
図31（A）及び図31（B）に示すように、図31（A）及び図31（B）中のバレルめっきQFNパッケージ構造は、図30（A）及び図30（B）中のバレルめっきQFNパッケージ構造に類似している。しかし、図31（A）と図34（B）中のバレルめっきQFNパッケージ構造は、金型5を取り付けるため、またはインナーリード4のリング内の所定の領域に形成されたインナーダイパッド3を含む。インナーダイパッド3も、インナーリード4を形成するため、多層めっきプロセスによって形成される。従って、インナーダイパッド3も、第一の金属層14に含まれる。さらに、ダイ5は、導電性又は非導電性接着材8を介してインナーダイパッド3の上面に取り付けられる。したがって、インナーダイパッド、静電放電リング、受動素子で結合されたマルチリードリングとバレルめっきQFNパッケージ構造を形成することができる。
【００６７】
図32（A）及び図32（B）は、別の例示的なバレルめっきQFNパッケージ構造を示す。図32（A）は図32（B）の断面図である。
【００６８】
図32（A）及び図32（B）に示すように、図32（A）及び図32（B）中のバレルめっきQFNパッケージ構造は、図16（A）及び図16（B）中のバレルめっきQFNパッケージ構造に類似している。しかし、図32（A）および35（B）中のバレルめっきのQFNパッケージング構造は、ダイ5の複数を含む。ダイ5の複数の各々は、導電性または非導電性接着材8によって基板または他の平面的な支持構造上又は環又はリングやインナーリード4のリングの中の所定の領域に取り付けられる。例えば、第二のダイ5は、第一のダイ5に対して横並び構成で配置され、ダイ5の両方はリングやインナーリード4のリング内に配置される。さらに、各々のダイ5の上面は、金属ワイヤ6で接続される。したがって、マルチダイとシングルリードリングとバレルめっきQFNパッケージ構造を形成することができる。
【００６９】
図33（A）及び図33（B）は、別の例示的なバレルめっきQFNパッケージ構造を示す。図33（A）は図33（B）の断面図である。
【００７０】
図33（A）及び図33（B）に示すように、図33（A）及び図33（B）中のバレルめっきQFNパッケージ構造は、図32（A）及び図32（B）中のバレルめっきQFNパッケージ構造に類似している。しかし、図33（A）と図36（B）中のバレルめっきQFNパッケージ構造は、金型5を取り付けるため、またはインナーリード4のリング内の所定の領域に形成されたインナーダイパッド3の複数を含む。インナーダイパッド3の複数も、インナーリード4を形成するため、多層めっきプロセスによって形成される。従って、インナーダイパッド3の複数も、第一の金属層14に含まれる。さらに、ダイ5の複数は、導電性又は非導電性接着材8を介して対応複数のインナーダイパッド3の上面に取り付けられる。したがって、複数ダイ、複数インナーダイパッドとシングルリードリングとバレルめっきQFNパッケージ構造を形成することができる。
【００７１】
図34（A）及び図34（B）は、別の例示的なバレルめっきQFNパッケージ構造を示す。図34（A）は図34（B）の断面図である。
【００７２】
図34（A）及び図34（B）に示すように、図34（A）及び図34（B）中のバレルめっきQFNパッケージ構造は、図18（A）及び図18（B）中のバレルめっきQFNパッケージ構造に類似している。しかし、図34（A）および37（B）中のバレルめっきのQFNパッケージング構造は、ダイ5の複数を含む。ダイ5の複数の各々は、導電性または非導電性接着材8によって基板または他の平面的な支持構造上又は環又はリングやインナーリード4のリングの中の所定の領域に取り付けられる。例えば、第二のダイ5は、第一のダイ5に対して横並び構成で配置され、ダイ5の両方はリングやインナーリード4のリング内に配置される。さらに、各々のダイ5の上面は、金属ワイヤ6で接続される。他の構成を使用することもできる。したがって、受動素子で結合されたマルチリードリングとインナーダイパッドとバレルめっきQFNパッケージ構造を形成することができる。
【００７３】
図35（A）及び図35（B）は、別の例示的なバレルめっきQFNパッケージ構造を示す。図35（A）は図35（B）の断面図である。
【００７４】
図35（A）及び図35（B）に示すように、図35（A）及び図35（B）中のバレルめっきQFNパッケージ構造は、図34（A）及び図34（B）中のバレルめっきQFNパッケージ構造に類似している。しかし、図35（A）と図38（B）中のバレルめっきQFNパッケージ構造は、金型5を取り付けるため、またはインナーリード4のリング内の所定の領域に形成されたインナーダイパッド3の複数を含む。インナーダイパッド3の複数も、インナーリード4を形成するため、多層めっきプロセスによって形成される。従って、インナーダイパッド3の複数も、第一の金属層14に含まれる。さらに、ダイ5の複数は、導電性又は非導電性接着材8を介して対応複数のインナーダイパッド3の上面に取り付けられる。したがって、受動素子で結合されたシングルリードリングと複数ダイ、複数インナーダイパッドとバレルめっきQFNパッケージ構造を形成することができる。
【００７５】
図36（A）及び図36（B）は、別の例示的なバレルめっきQFNパッケージ構造を示す。図36（A）は図36（B）の断面図である。
【００７６】
図36（A）及び図36（B）に示すように、図36（A）及び図36（B）中のバレルめっきQFNパッケージ構造は、図20（A）及び図20（B）中のバレルめっきQFNパッケージ構造に類似している。しかし、図36（A）および39（B）中のバレルめっきのQFNパッケージング構造は、ダイ5の複数を含む。ダイ5の複数の各々は、導電性または非導電性接着材8によって基板または他の平面的な支持構造上又は環又はリングやインナーリード4のリングの中の所定の領域に取り付けられる。例えば、第二のダイ5は、第一のダイ5に対して横並び構成で配置され、ダイ5の両方はリングやインナーリード4のリング内に配置される。さらに、各々のダイ5の上面は、金属ワイヤ6で接続される。他の構成を使用することもできる。したがって、バレルめっきQFNパッケージ構造インナーダイパッド、マルチリードリングと静電放電リングと形成することができる。
【００７７】
図37（A）及び図37（B）は、別の例示的なバレルめっきQFNパッケージ構造を示す。図37（A）は図37（B）の断面図である。
【００７８】
図37（A）及び図37（B）に示すように、図37（A）及び図37（B）中のバレルめっきQFNパッケージ構造は、図36（A）及び図36（B）中のバレルめっきQFNパッケージ構造に類似している。しかし、図37（A）と図40（B）中のバレルめっきQFNパッケージ構造は、金型5を取り付けるため、またはインナーリード4のリング内の所定の領域に形成されたインナーダイパッド3の複数を含む。インナーダイパッド3の複数も、インナーリード4を形成するため、多層めっきプロセスによって形成される。従って、インナーダイパッド3の複数も、第一の金属層14に含まれる。さらに、ダイ5の複数は、導電性又は非導電性接着材8を介して対応複数のインナーダイパッド3の上面に取り付けられる。したがって、バレルめっきQFNパッケージ構造は複数ダイ、複数インナーダイパッド、シングルリードリングおよび静電放電リングと形成することができる。
【００７９】
図38（A）及び図38（B）は、別の例示的なバレルめっきQFNパッケージ構造を示す。図38（A）は図38（B）の断面図である。
【００８０】
図38（A）及び図38（B）に示すように、図38（A）及び図38（B）中のバレルめっきQFNパッケージ構造は、図22（A）及び図22（B）中のバレルめっきQFNパッケージ構造に類似している。しかし、図38（A）および41（B）中のバレルめっきのQFNパッケージング構造は、ダイ5の複数を含む。ダイ5の複数の各々は、導電性または非導電性接着材8によって基板または他の平面的な支持構造上又は環又はリングやインナーリード4のリングの中の所定の領域に取り付けられる。例えば、第二のダイ5は、第一のダイ5に対して横並び構成で配置され、ダイ5の両方はリングやインナーリード4のリング内に配置される。さらに、各々のダイ5の上面は、金属ワイヤ6で接続される。他の構成を使用することもできる。したがって、マルチダイ、静電放電リング、受動素子で結合されたシングルリードリングとバレルめっきQFNパッケージ構造を形成することができる。
【００８１】
図39（A）及び図39（B）は、別の例示的なバレルめっきQFNパッケージ構造を示す。図39（A）は図39（B）の断面図である。
【００８２】
図39（A）及び図39（B）に示すように、図39（A）及び図39（B）中のバレルめっきQFNパッケージ構造は、図38（A）及び図38（B）中のバレルめっきQFNパッケージ構造に類似している。しかし、図39（A）と図42（B）中のバレルめっきQFNパッケージ構造は、金型5を取り付けるため、またはインナーリード4のリング内の所定の領域に形成されたインナーダイパッド3の複数を含む。インナーダイパッド3の複数も、インナーリード4を形成するため、多層めっきプロセスによって形成される。従って、インナーダイパッド3の複数も、第一の金属層14に含まれる。さらに、ダイ5の複数は、導電性又は非導電性接着材8を介して対応複数のインナーダイパッド3の上面に取り付けられる。したがって、複数ダイ、複数インナーダイ、静電放電リング、受動素子で結合されたシングルリードリングとバレルめっきQFNパッケージ構造を形成することができる。
【００８３】
図40（A）及び図40（B）は、別の例示的なバレルめっきQFNパッケージ構造を示す。図40（A）は図40（B）の断面図である。
【００８４】
図40（A）及び図40（B）に示すように、図40（A）及び図40（B）中のバレルめっきQFNパッケージ構造は、図32（A）及び図32（B）中のバレルめっきQFNパッケージ構造に類似している。しかし、図40（A）および43（B）中のバレルめっきのQFNパッケージング構造は、I/Oパッド2の複数のリングを含む。換言すれば、I/Oパッド2は複数リング構成に配置される。さらに、インナーリード4の複数リングはI/Oパッド2の上面に形成される。すなわち、インナーリード4の複数リングも、第一の金属層14を形成するため、多層めっきプロセスによって形成される。インナーリード4の複数のリングが多層めっきプロセスにより形成されるので、同じリングからのインナーリードのリードピッチと異なるリングからのインナーリードのリードピッチは大幅に低減することができる。したがって、マルチダイとマルチリードリングとバレルめっきQFNパッケージ構造を形成することができる。
【００８５】
図41（A）及び図41（B）は、別の例示的なバレルめっきQFNパッケージ構造を示す。図41（A）は図41（B）の断面図である。
【００８６】
図41（A）及び図41（B）に示すように、図41（A）及び図41（B）中のバレルめっきQFNパッケージ構造は、図40（A）及び図40（B）中のバレルめっきQFNパッケージ構造に類似している。しかし、図41（A）と図44（B）中のバレルめっきQFNパッケージ構造は、金型5を取り付けるため、またはインナーリード4のリング内の所定の領域に形成されたインナーダイパッド3の複数を含む。インナーダイパッド3の複数も、インナーリード4を形成するため、多層めっきプロセスによって形成される。従って、インナーダイパッド3の複数も、第一の金属層14に含まれる。さらに、ダイ5の複数は、導電性又は非導電性接着材8を介して対応複数のインナーダイパッド3の上面に取り付けられる。したがって、複数ダイ、複数インナーダイパッドとマルチリードリングとバレルめっきQFNパッケージ構造を形成することができる。
【００８７】
図42（A）及び図42（B）は、別の例示的なバレルめっきQFNパッケージ構造を示す。図42（A）は図42（B）の断面図である。
【００８８】
図42（A）及び図42（B）に示すように、図42（A）及び図42（B）中のバレルめっきQFNパッケージ構造は、図34（A）及び図34（B）中のバレルめっきQFNパッケージ構造に類似している。しかし、図42（A）および45（B）中のバレルめっきのQFNパッケージング構造は、I/Oパッド2の複数のリングを含む。換言すれば、I/Oパッド2は複数リング構成に配置される。さらに、インナーリード4の複数リングはI/Oパッド2の上面に形成される。すなわち、インナーリード4の複数リングも、第一の金属層14を形成するため、多層めっきプロセスによって形成される。インナーリード4の複数のリングが多層めっきプロセスにより形成されるので、同じリングからのインナーリードのリードピッチと異なるリングからのインナーリードのリードピッチは大幅に低減することができる。したがって、受動素子で結合されたマルチリードリングと複数ダイとバレルめっきQFNパッケージ構造を形成することができる。
【００８９】
図43（A）及び図43（B）は、別の例示的なバレルめっきQFNパッケージ構造を示す。図43（A）は図43（B）の断面図である。
【００９０】
図43（A）及び図43（B）に示すように、図43（A）及び図43（B）中のバレルめっきQFNパッケージ構造は、図42（A）及び図42（B）中のバレルめっきQFNパッケージ構造に類似している。しかし、図43（A）と図46（B）中のバレルめっきQFNパッケージ構造は、金型5を取り付けるため、またはインナーリード4のリング内の所定の領域に形成されたインナーダイパッド3の複数を含む。インナーダイパッド3の複数も、インナーリード4を形成するため、多層めっきプロセスによって形成される。従って、インナーダイパッド3の複数も、第一の金属層14に含まれる。さらに、ダイ5の複数は、導電性又は非導電性接着材8を介して対応複数のインナーダイパッド3の上面に取り付けられる。したがって、受動素子で結合されたマルチリードリングと複数ダイ、複数インナーダイパッドとバレルめっきQFNパッケージ構造を形成することができる。
【００９１】
図44（A）及び図44（B）は、別の例示的なバレルめっきQFNパッケージ構造を示す。図44（A）は図44（B）の断面図である。
【００９２】
図44（A）及び図44（B）に示すように、図44（A）及び図44（B）中のバレルめっきQFNパッケージ構造は、図36（A）及び図36（B）中のバレルめっきQFNパッケージ構造に類似している。しかし、図44（A）および47（B）中のバレルめっきのQFNパッケージング構造は、I/Oパッド2の複数のリングを含む。換言すれば、I/Oパッド2は複数リング構成に配置される。さらに、インナーリード4の複数リングはI/Oパッド2の上面に形成される。すなわち、インナーリード4の複数リングも、第一の金属層14を形成するため、多層めっきプロセスによって形成される。インナーリード4の複数のリングが多層めっきプロセスにより形成されるので、同じリングからのインナーリードのリードピッチと異なるリングからのインナーリードのリードピッチは大幅に低減することができる。したがって、バレルめっきQFNパッケージ構造はマルチダイ、マルチリードリングおよび静電放電リングと共に形成することができる。
【００９３】
図45（A）及び図45（B）は、別の例示的なバレルめっきQFNパッケージ構造を示す。図45（A）は図45（B）の断面図である。
【００９４】
図45（A）及び図45（B）に示すように、図45（A）及び図45（B）中のバレルめっきQFNパッケージ構造は、図44（A）及び図44（B）中のバレルめっきQFNパッケージ構造に類似している。しかし、図45（A）と図48（B）中のバレルめっきQFNパッケージ構造は、金型5を取り付けるため、またはインナーリード4のリング内の所定の領域に形成されたインナーダイパッド3の複数を含む。インナーダイパッド3の複数も、インナーリード4を形成するため、多層めっきプロセスによって形成される。従って、インナーダイパッド3の複数も、第一の金属層14に含まれる。さらに、ダイ5の複数は、導電性又は非導電性接着材8を介して対応複数のインナーダイパッド3の上面に取り付けられる。したがって、バレルめっきQFNパッケージ構造は複数ダイ、複数インナーダイパッド、マルチリードリングおよび静電放電リングと形成することができる。
【００９５】
図46（A）及び図46（B）は、別の例示的なバレルめっきQFNパッケージ構造を示す。図46（A）は図46（B）の断面図である。
【００９６】
図46（A）及び図46（B）に示すように、図46（A）及び図46（B）中のバレルめっきQFNパッケージ構造は、図38（A）及び図38（B）中のバレルめっきQFNパッケージ構造に類似している。しかし、図46（A）および49（B）中のバレルめっきのQFNパッケージング構造は、I/Oパッド2の複数のリングを含む。換言すれば、I/Oパッド2は複数リング構成に配置される。さらに、インナーリード4の複数リングはI/Oパッド2の上面に形成される。すなわち、インナーリード4の複数リングも、第一の金属層14を形成するため、多層めっきプロセスによって形成される。インナーリード4の複数のリングが多層めっきプロセスにより形成されるので、同じリングからのインナーリードのリードピッチと異なるリングからのインナーリードのリードピッチは大幅に低減することができる。したがって、マルチダイ、静電放電リング、受動素子で結合されたマルチリードリングとバレルめっきQFNパッケージ構造を形成することができる。
【００９７】
図47（A）及び図47（B）は、別の例示的なバレルめっきQFNパッケージ構造を示す。図47（A）は図47（B）の断面図である。
【００９８】
図47（A）及び図47（B）に示すように、図47（A）及び図47（B）中のバレルめっきQFNパッケージ構造は、図46（A）及び図46（B）中のバレルめっきQFNパッケージ構造に類似している。しかし、図47（A）と図50（B）中のバレルめっきQFNパッケージ構造は、金型5を取り付けるため、またはインナーリード4のリング内の所定の領域に形成されたインナーダイパッド3の複数を含む。インナーダイパッド3の複数も、インナーリード4を形成するため、多層めっきプロセスによって形成される。従って、インナーダイパッド3の複数も、第一の金属層14に含まれる。さらに、ダイ5の複数は、導電性又は非導電性接着材8を介して対応複数のインナーダイパッド3の上面に取り付けられる。したがって、複数ダイ、複数インナーダイ、静電放電リング、受動素子で結合されたマルチリードリングとバレルめっきQFNパッケージ構造を形成することができる。
【００９９】
図48(A)と図48(B)は、開示された実施形態と一致する例示的なクワッド・フラット・ノーリード（QFN）パッケージ 構造とアウターダイパッドや島を説明する図である。図48（A）は図48（B）の断面図である。
【０１００】
図48（A）及び図48（B）に示すように、図48（A）及び図48（B）中のバレルめっきQFNパッケージ構造は、図16（A）及び図16（B）中のバレルめっきQFNパッケージ構造に類似している。しかし、図48（A）および51（B）中のQFNパッケージング構造は、アウターダイパッド1を含む。つまり、図48（A）および51（B）中のQFNパッケージング構造はバレルめっきではない。アウターダイパッド1は、ダイ5に（例えば、電気的、熱的等の）接触するダイパッドとして設定される任意の構造を含み、アウターダイパッド1は長方形、正方形、または円形などの任意の適切な形状である。ダイ5は、導電性または非導電性接着材8を介してアウターダイパッド1の上面に実装される。アウターダイパッド1はI/Oパッド2内に形成され又はエッチングパターンを使用してI/Oパッド2を形成する同一のエッチング工程においてI/Oパッド2によって囲まれる。
【０１０１】
これに対応して、アウターダイパッド1を形成する前に第二の金属層9を形成する第2金属層パターンとI/Oパッド2は、アウターダイパッド1に対応する第二金属層の部分を含むことができる。また、基板の裏面に、シール材10は、アウターダイパッド1とI/Oパッド2の周辺領域、アウターダイパッド1とI/Oパッド2の間の領域、そして隣接するI/Oパッド2の間の領域において充填される。したがって、シングルアウターダイパッドとシングルリードリングとバレルめっきQFNパッケージ構造を形成することができる。
【０１０２】
図49（A）及び図49（B）は、別の例示的なバレルめっきQFNパッケージ構造を示す。図49（A）は図49（B）の断面図である。
【０１０３】
図49（A）及び図49（B）に示すように、図49（A）及び図49（B）中のバレルめっきQFNパッケージ構造は、図17（A）及び図17（B）中のバレルめっきQFNパッケージ構造に類似している。しかし、図49（A）および49（B）中のQFNパッケージング構造は、以前に説明したとおりアウターダイパッド1も含む。インナーダイパッド3は、多層めっきプロセスによってアウターダイパッド1の上面に形成される。したがって、アウターとインナーダイパッドとシングルリードリングとバレルめっきQFNパッケージ構造を形成することができる。
【０１０４】
図50（A）及び図50（B）は、別の例示的なバレルめっきQFNパッケージ構造を示す。図50（A）は図50（B）の断面図である。
【０１０５】
図50（A）及び図50（B）に示すように、図50（A）及び図50（B）中のバレルめっきQFNパッケージ構造は、図18（A）及び図18（B）中のバレルめっきQFNパッケージ構造に類似している。しかし、図50（A）および53（B）中のQFNパッケージング構造は、以前に説明したとおりアウターダイパッド1も含む。ダイ5は、導電性又は非導電性接着材8を介してアウターダイパッド1の上面に取り付けられる。したがって、受動素子で結合されたマルチリードリングとインナーダイパッドとバレルめっきQFNパッケージ構造を形成することができる。
【０１０６】
図51（A）及び図51（B）は、別の例示的なバレルめっきQFNパッケージ構造を示す。図51（A）は図51（B）の断面図である。
【０１０７】
図51（A）及び図51（B）に示すように、図51（A）及び図51（B）中のバレルめっきQFNパッケージ構造は、図19（A）及び図19（B）中のバレルめっきQFNパッケージ構造に類似している。しかし、図51（A）および51（B）中のQFNパッケージング構造は、以前に説明したとおりアウターダイパッド1も含む。インナーダイパッド3は、多層めっきプロセスによってアウターダイパッド1の上面に形成される。したがって、受動素子で結合されたシングルリードリング、アウターとインナーダイパッドとバレルめっきQFNパッケージ構造を形成することができる。
【０１０８】
図52（A）及び図52（B）は、別の例示的なバレルめっきQFNパッケージ構造を示す。図52（A）は図52（B）の断面図である。
【０１０９】
図52（A）及び図52（B）に示すように、図52（A）及び図52（B）中のバレルめっきQFNパッケージ構造は、図20（A）及び図20（B）中のバレルめっきQFNパッケージ構造に類似している。しかし、図52（A）および52（B）中のQFNパッケージング構造は、以前に説明したとおりアウターダイパッド1も含む。ダイ5は、導電性又は非導電性接着材8を介してアウターダイパッド1の上面に取り付けられる。したがって、バレルめっきQFNパッケージ構造は、シングルアウターダイパッド、シングルリードリングと静電放電リングと形成することができる。
【０１１０】
図53（A）及び図53（B）は、別の例示的なバレルめっきQFNパッケージ構造を示す。図53（A）は図53（B）の断面図である。
【０１１１】
図53（A）及び図53（B）に示すように、図53（A）及び図53（B）中のバレルめっきQFNパッケージ構造は、図21（A）及び図21（B）中のバレルめっきQFNパッケージ構造に類似している。しかし、図53（A）および53（B）中のQFNパッケージング構造は、以前に説明したとおりアウターダイパッド1も含む。インナーダイパッド3は、多層めっきプロセスによってアウターダイパッド1の上面に形成される。したがって、バレルめっきQFNパッケージ構造は、アウターとシングルダイパッド、シングルリードリングと静電放電リングと形成することができる。
【０１１２】
図54（A）及び図54（B）は、別の例示的なバレルめっきQFNパッケージ構造を示す。図54（A）は図54（B）の断面図である。
【０１１３】
図54（A）及び図54（B）に示すように、図54（A）及び図54（B）中のバレルめっきQFNパッケージ構造は、図22（A）及び図22（B）中のバレルめっきQFNパッケージ構造に類似している。しかし、図54（A）および54（B）中のQFNパッケージング構造は、以前に説明したとおりアウターダイパッド1も含む。ダイ5は、導電性又は非導電性接着材8を介してアウターダイパッド1の上面に取り付けられる。したがって、アウターダイパッド、静電放電リング、受動素子で結合されたシングルリードリングとバレルめっきQFNパッケージ構造を形成することができる。
【０１１４】
図55（A）及び図55（B）は、別の例示的なバレルめっきQFNパッケージ構造を示す。図55（A）は図55（B）の断面図である。
【０１１５】
図55（A）及び図55（B）に示すように、図55（A）及び図55（B）中のバレルめっきQFNパッケージ構造は、図23（A）及び図23（B）中のバレルめっきQFNパッケージ構造に類似している。しかし、図55（A）および55（B）中のQFNパッケージング構造は、以前に説明したとおりアウターダイパッド1も含む。インナーダイパッド3は、多層めっきプロセスによってアウターダイパッド1の上面に形成される。したがって、アウターとインナーダイパッド、静電放電リング、受動素子で結合されたシングルリードリングとバレルめっきQFNパッケージ構造を形成することができる。
【０１１６】
図56（A）及び図56（B）は、別の例示的なバレルめっきQFNパッケージ構造を示す。図56（A）は図56（B）の断面図である。
【０１１７】
図56（A）及び図56（B）に示すように、図56（A）及び図56（B）中のバレルめっきQFNパッケージ構造は、図24（A）及び図24（B）中のバレルめっきQFNパッケージ構造に類似している。しかし、図56（A）および59（B）中のQFNパッケージング構造は、以前に説明したとおりアウターダイパッド1も含む。ダイ5は、導電性又は非導電性接着材8を介してアウターダイパッド1の上面に取り付けられる。したがって、シングルアウターダイパッドとマルチリードリングとバレルめっきQFNパッケージ構造を形成することができる。
【０１１８】
図57（A）及び図57（B）は、別の例示的なバレルめっきQFNパッケージ構造を示す。図57（A）は図57（B）の断面図である。
【０１１９】
図57（A）及び図57（B）に示すように、図57（A）及び図57（B）中のバレルめっきQFNパッケージ構造は、図25（A）及び図25（B）中のバレルめっきQFNパッケージ構造に類似している。しかし、図57（A）および60（B）中のQFNパッケージング構造は、以前に説明したとおりアウターダイパッド1も含む。インナーダイパッド3は、多層めっきプロセスによってアウターダイパッド1の上面に形成される。したがって、アウターとインナーダイパッドとマルチリードリングとバレルめっきQFNパッケージ構造を形成することができる。
【０１２０】
図58（A）及び図58（B）は、別の例示的なバレルめっきQFNパッケージ構造を示す。図58（A）は図58（B）の断面図である。
【０１２１】
図58（A）及び図58（B）に示すように、図58（A）及び図58（B）中のバレルめっきQFNパッケージ構造は、図26（A）及び図26（B）中のバレルめっきQFNパッケージ構造に類似している。しかし、図58（A）および61（B）中のQFNパッケージング構造は、以前に説明したとおりアウターダイパッド1も含む。ダイ5は、導電性又は非導電性接着材8を介してアウターダイパッド1の上面に取り付けられる。したがって、受動素子で結合されたマルチリードリングとシングルアウターダイパッドとQFNパッケージ構造を形成することができる。
【０１２２】
図59（A）及び図59（B）は、別の例示的なバレルめっきQFNパッケージ構造を示す。図59（A）は図59（B）の断面図である。
【０１２３】
図59（A）及び図59（B）に示すように、図59（A）及び図59（B）中のバレルめっきQFNパッケージ構造は、図27（A）及び図27（B）中のバレルめっきQFNパッケージ構造に類似している。しかし、図59（A）および62（B）中のQFNパッケージング構造は、以前に説明したとおりアウターダイパッド1も含む。インナーダイパッド3は、多層めっきプロセスによってアウターダイパッド1の上面に形成される。したがって、受動素子で結合されたマルチリードリング、アウターとインナーダイパッドとバレルめっきQFNパッケージ構造を形成することができる。
【０１２４】
図60（A）及び図60（B）は、別の例示的なバレルめっきQFNパッケージ構造を示す。図60（A）は図60（B）の断面図である。
【０１２５】
図60（A）及び図60（B）に示すように、図60（A）及び図60（B）中のバレルめっきQFNパッケージ構造は、図28（A）及び図28（B）中のバレルめっきQFNパッケージ構造に類似している。しかし、図60（A）および63（B）中のQFNパッケージング構造は、以前に説明したとおりアウターダイパッド1も含む。ダイ5は、導電性又は非導電性接着材8を介してアウターダイパッド1の上面に取り付けられる。したがって、バレルめっきQFNパッケージ構造は、シングルアウターダイパッド、マルチリードリングと静電放電リングと形成することができる。
【０１２６】
図61（A）及び図61（B）は、別の例示的なバレルめっきQFNパッケージ構造を示す。図61（A）は図61（B）の断面図である。
【０１２７】
図61（A）及び図61（B）に示すように、図61（A）及び図61（B）中のバレルめっきQFNパッケージ構造は、図29（A）及び図29（B）中のバレルめっきQFNパッケージ構造に類似している。しかし、図61（A）および64（B）中のQFNパッケージング構造は、以前に説明したとおりアウターダイパッド1も含む。インナーダイパッド3は、多層めっきプロセスによってアウターダイパッド1の上面に形成される。したがって、バレルめっきQFNパッケージ構造は、アウターとシングルダイパッド、マルチリードリングと静電放電リングと形成することができる。
【０１２８】
図62（A）及び図62（B）は、別の例示的なバレルめっきQFNパッケージ構造を示す。図62（A）は図62（B）の断面図である。
【０１２９】
図62（A）及び図62（B）に示すように、図62（A）及び図62（B）中のバレルめっきQFNパッケージ構造は、図30（A）及び図30（B）中のバレルめっきQFNパッケージ構造に類似している。しかし、図62（A）および65（B）中のQFNパッケージング構造は、以前に説明したとおりアウターダイパッド1も含む。ダイ5は、導電性又は非導電性接着材8を介してアウターダイパッド1の上面に取り付けられる。したがって、アウターダイパッド、静電放電リング、受動素子で結合されたマルチリードリングとバレルめっきQFNパッケージ構造を形成することができる。
【０１３０】
図63（A）及び図63（B）は、別の例示的なバレルめっきQFNパッケージ構造を示す。図63（A）は図63（B）の断面図である。
【０１３１】
図63（A）及び図63（B）に示すように、図63（A）及び図63（B）中のバレルめっきQFNパッケージ構造は、図31（A）及び図31（B）中のバレルめっきQFNパッケージ構造に類似している。しかし、図63（A）および66（B）中のQFNパッケージング構造は、以前に説明したとおりアウターダイ1も含む。インナーダイパッド3は、多層めっきプロセスによってアウターダイパッド1の上面に形成される。したがって、アウターとインナーダイパッド、静電放電リング、受動素子で結合されたマルチリードリングとバレルめっきQFNパッケージ構造を形成することができる。
【０１３２】
図64（A）及び図64（B）は、別の例示的なバレルめっきQFNパッケージ構造を示す。図64（A）は図64（B）の断面図である。
【０１３３】
図64（A）及び図64（B）に示すように、図64（A）及び図64（B）中のバレルめっきQFNパッケージ構造は、図32（A）及び図32（B）中のバレルめっきQFNパッケージ構造に類似している。しかし、図64（A）および67（B）中のQFNパッケージング構造は、アウターダイパッド1の複数とダイ5の複数を含む。ダイ5の複数のそれぞれは、導電性又は非導電性接着材8を介して対応アウターダイパッド1の上面に取り付けられる。例えば、第二のアウターダイパッド1は、第一または元のアウターダイパッド1に対して横並び構成で配置され、そして第二のダイは、対応第二のアウターダイパッド1の上面に取り付けられている。したがって、マルチダイパッドとシングルリードリングとバレルめっきQFNパッケージ構造を形成することができる。
【０１３４】
図65（A）及び図65（B）は、別の例示的なバレルめっきQFNパッケージ構造を示す。図65（A）は図65（B）の断面図である。
【０１３５】
図65（A）及び図65（B）に示すように、図65（A）及び図65（B）中のバレルめっきQFNパッケージ構造は、図33（A）及び図33（B）中のバレルめっきQFNパッケージ構造に類似している。しかし、図65（A）および68（B）中のQFNパッケージング構造は、アウターダイパッド1の複数を含む。インナーダイパッド3の複数のそれぞれは、多層めっきプロセスによって対応アウターダイパッド1の上面に形成される。したがって、マルチアウターとインナーダイパッドとシングルリードリングとバレルめっきQFNパッケージ構造を形成することができる。
【０１３６】
図66（A）及び図66（B）は、別の例示的なバレルめっきQFNパッケージ構造を示す。図66（A）は図66（B）の断面図である。
【０１３７】
図66（A）及び図66（B）に示すように、図66（A）及び図66（B）中のバレルめっきQFNパッケージ構造は、図34（A）及び図34（B）中のバレルめっきQFNパッケージ構造に類似している。しかし、図66（A）および69（B）中のQFNパッケージング構造は、アウターダイパッド1の複数とダイ5の複数を含む。ダイ5の複数のそれぞれは、導電性又は非導電性接着材8を介して対応アウターダイパッド1の上面に取り付けられる。したがって、受動素子で結合されたシングルリードリングとマルチダイパッドとQFNパッケージ構造を形成することができる。
【０１３８】
図67（A）及び図67（B）は、別の例示的なバレルめっきQFNパッケージ構造を示す。図67（A）は図67（B）の断面図である。
【０１３９】
図67（A）及び図67（B）に示すように、図67（A）及び図67（B）中のバレルめっきQFNパッケージ構造は、図35（A）及び図35（B）中のバレルめっきQFNパッケージ構造に類似している。しかし、図67（A）および70（B）中のQFNパッケージング構造は、アウターダイパッド1の複数を含む。インナーダイパッド3の複数のそれぞれは、多層めっきプロセスによって対応アウターダイパッド1の上面に形成される。したがって、受動素子で結合されたシングルリードリング、マルチアウターとインナーダイパッドとバレルめっきQFNパッケージ構造を形成することができる。
【０１４０】
図68（A）及び図68（B）は、別の例示的なバレルめっきQFNパッケージ構造を示す。図68（A）は図68（B）の断面図である。
【０１４１】
図68（A）及び図68（B）に示すように、図68（A）及び図68（B）中のバレルめっきQFNパッケージ構造は、図36（A）及び図36（B）中のバレルめっきQFNパッケージ構造に類似している。しかし、図68（A）および71（B）中のQFNパッケージング構造は、アウターダイパッド1の複数とダイ5の複数を含む。ダイ5の複数のそれぞれは、導電性又は非導電性接着材8を介して対応アウターダイパッド1の上面に取り付けられる。したがって、QFNパッケージ構造は、マルチダイパッド、シングルリードリングと静電放電リングと形成することができる。
【０１４２】
図69（A）及び図69（B）は、別の例示的なバレルめっきQFNパッケージ構造を示す。図69（A）は図69（B）の断面図である。
【０１４３】
図69（A）及び図69（B）に示すように、図69（A）及び図69（B）中のバレルめっきQFNパッケージ構造は、図37（A）及び図37（B）中のバレルめっきQFNパッケージ構造に類似している。しかし、図69（A）および72（B）中のQFNパッケージング構造は、アウターダイパッド1の複数を含む。インナーダイパッド3の複数のそれぞれは、多層めっきプロセスによって対応アウターダイパッド1の上面に形成される。したがって、QFNパッケージ構造は、マルチアウターとシングルダイパッド、シングルリードリングと静電放電リングと形成することができる。
【０１４４】
図70（A）及び図70（B）は、別の例示的なバレルめっきQFNパッケージ構造を示す。図70（A）は図70（B）の断面図である。
【０１４５】
図70（A）及び図70（B）に示すように、図70（A）及び図70（B）中のバレルめっきQFNパッケージ構造は、図38（A）及び図38（B）中のバレルめっきQFNパッケージ構造に類似している。しかし、図70（A）および73（B）中のQFNパッケージング構造は、アウターダイパッド1の複数とダイ5の複数を含む。ダイ5の複数のそれぞれは、導電性又は非導電性接着材8を介して対応アウターダイパッド1の上面に取り付けられる。したがって、マルチダイパッド、静電放電リング、受動素子で結合されたシングルリードリングとQFNパッケージ構造を形成することができる。
【０１４６】
図71（A）及び図71（B）は、別の例示的なバレルめっきQFNパッケージ構造を示す。図71（A）は図71（B）の断面図である。
【０１４７】
図71（A）及び図71（B）に示すように、図71（A）及び図71（B）中のバレルめっきQFNパッケージ構造は、図39（A）及び図39（B）中のバレルめっきQFNパッケージ構造に類似している。しかし、図71（A）および74（B）中のQFNパッケージング構造は、アウターダイパッド1の複数を含む。インナーダイパッド3の複数のそれぞれは、多層めっきプロセスによって対応アウターダイパッド1の上面に形成される。したがって、マルチアウターとインナーダイパッド、静電放電リング、受動素子で結合されたシングルリードリングとバレルめっきQFNパッケージ構造を形成することができる。
【０１４８】
図72（A）及び図72（B）は、別の例示的なバレルめっきQFNパッケージ構造を示す。図72（A）は図72（B）の断面図である。
【０１４９】
図72（A）及び図72（B）に示すように、図72（A）及び図72（B）中のバレルめっきQFNパッケージ構造は、図40（A）及び図40（B）中のバレルめっきQFNパッケージ構造に類似している。しかし、図72（A）および75（B）中のQFNパッケージング構造は、アウターダイパッド1の複数とダイ5の複数を含む。ダイ5の複数のそれぞれは、導電性又は非導電性接着材8を介して対応アウターダイパッド1の上面に取り付けられる。したがって、マルチダイパッドとマルチリードリングとバレルめっきQFNパッケージ構造を形成することができる。
【０１５０】
図73（A）及び図73（B）は、別の例示的なバレルめっきQFNパッケージ構造を示す。図73（A）は図73（B）の断面図である。
【０１５１】
図73（A）及び図73（B）に示すように、図73（A）及び図73（B）中のバレルめっきQFNパッケージ構造は、図41（A）及び図41（B）中のバレルめっきQFNパッケージ構造に類似している。しかし、図73（A）および76（B）中のQFNパッケージング構造は、アウターダイパッド1の複数を含む。インナーダイパッド3の複数のそれぞれは、多層めっきプロセスによって対応アウターダイパッド1の上面に形成される。したがって、マルチアウターとインナーダイパッドとマルチリードリングとバレルめっきQFNパッケージ構造を形成することができる。
【０１５２】
図74（A）及び図74（B）は、別の例示的なバレルめっきQFNパッケージ構造を示す。図74（A）は図74（B）の断面図である。
【０１５３】
図74（A）及び図74（B）に示すように、図74（A）及び図74（B）中のバレルめっきQFNパッケージ構造は、図42（A）及び図42（B）中のバレルめっきQFNパッケージ構造に類似している。しかし、図74（A）および77（B）中のQFNパッケージング構造は、アウターダイ1の複数とダイ5の複数を含む。ダイ5の複数のそれぞれは、導電性又は非導電性接着材8を介して対応アウターダイパッド1の上面に取り付けられる。したがって、受動素子で結合されたマルチリードリングとマルチダイパッドとQFNパッケージ構造を形成することができる。
【０１５４】
図75（A）及び図75（B）は、別の例示的なバレルめっきQFNパッケージ構造を示す。図75（A）は図75（B）の断面図である。
【０１５５】
図75（A）及び図75（B）に示すように、図75（A）及び図75（B）中のバレルめっきQFNパッケージ構造は、図43（A）及び図43（B）中のバレルめっきQFNパッケージ構造に類似している。しかし、図75（A）および78（B）中のQFNパッケージング構造は、アウターダイパッド1の複数を含む。インナーダイパッド3の複数のそれぞれは、多層めっきプロセスによって対応アウターダイパッド1の上面に形成される。したがって、受動素子で結合されたマルチリードリング、マルチアウターとインナーダイパッドとバレルめっきQFNパッケージ構造を形成することができる。
【０１５６】
図76（A）及び図76（B）は、別の例示的なバレルめっきQFNパッケージ構造を示す。図76（A）は図76（B）の断面図である。
【０１５７】
図76（A）及び図76（B）に示すように、図76（A）及び図76（B）中のバレルめっきQFNパッケージ構造は、図44（A）及び図44（B）中のバレルめっきQFNパッケージ構造に類似している。しかし、図76（A）および79（B）中のQFNパッケージング構造は、アウターダイパッド1の複数とダイ5の複数を含む。ダイ5の複数のそれぞれは、導電性又は非導電性接着材8を介して対応アウターダイパッド1の上面に取り付けられる。したがって、QFNパッケージ構造は、マルチダイパッド、マルチリードリングと静電放電リングと形成することができる。
【０１５８】
図77（A）及び図77（B）は、別の例示的なバレルめっきQFNパッケージ構造を示す。図77（A）は図77（B）の断面図である。
【０１５９】
図77（A）及び図77（B）に示すように、図77（A）及び図77（B）中のバレルめっきQFNパッケージ構造は、図45（A）及び図45（B）中のバレルめっきQFNパッケージ構造に類似している。しかし、図77（A）および80（B）中のQFNパッケージング構造は、アウターダイパッド1の複数を含む。インナーダイパッド3の複数のそれぞれは、多層めっきプロセスによって対応アウターダイパッド1の上面に形成される。したがって、QFNパッケージ構造は、マルチアウターとマルチダイパッド、シングルリードリングと静電放電リングと形成することができる。
【０１６０】
図78（A）及び図78（B）は、別の例示的なバレルめっきQFNパッケージ構造を示す。図78（A）は図78（B）の断面図である。
【０１６１】
図78（A）及び図78（B）に示すように、図78（A）及び図78（B）中のバレルめっきQFNパッケージ構造は、図46（A）及び図46（B）中のバレルめっきQFNパッケージ構造に類似している。しかし、図78（A）および71（B）中のQFNパッケージング構造は、アウターダイパッド1の複数とダイ5の複数を含む。ダイ5の複数のそれぞれは、導電性又は非導電性接着材8を介して対応アウターダイパッド1の上面に取り付けられる。したがって、マルチダイパッド、静電放電リング、受動素子で結合されたマルチリードリングとQFNパッケージ構造を形成することができる。
【０１６２】
図79（A）及び図79（B）は、別の例示的なバレルめっきQFNパッケージ構造を示す。図79（A）は図79（B）の断面図である。
【０１６３】
図79（A）及び図79（B）に示すように、図79（A）及び図79（B）中のバレルめっきQFNパッケージ構造は、図47（A）及び図47（B）中のバレルめっきQFNパッケージ構造に類似している。しかし、図79（A）および82（B）中のQFNパッケージング構造は、アウターダイパッド1の複数を含む。インナーダイパッド3の複数のそれぞれは、多層めっきプロセスによって対応アウターダイパッド1の上面に形成される。したがって、マルチアウターとインナーダイパッド、静電放電リング、受動素子で結合されたマルチリードリングとバレルめっきQFNパッケージ構造を形成することができる。
【０１６４】
開示された方法、プロセス、及び装置を用いて、種々の有利なアプリケーションは実装することができる。例えば、開示されたプロセスおよび装置を用いて、金属基材の両面に別々のエッチング工程を回避することができ、処理コスト、時間、人員、電力、および材料を低減することができる。同時に、エッチングプロセス中に発生する潜在的な環境有害物質の量も低減することができる。また、基板の上面上に細線めっき法を用いるので、インナーリードの最小幅は約25μmであり、インナーリードのリードピッチは約25μmで小さい。このように、リードフレームにおけるリード密度は大幅に増加することができる。さらに、第二の金属層は、めっき処理により形成された後にI/Oパッドがエッチングされるので、幅および/またはI/Oパッドのリードピッチも大幅に低減することができる。例えば、I/Oパッドは、パッドの幅が約25μmであり、I/Oパッドのリードピッチが約25μmである。
【０１６５】
開示されたプロセスおよび装置を用いて、リードフレームのみがダイ取付工程とワイヤボンディング工程に関与する。このように、反りなしに380から420摂氏度のように実質的に耐性高温である。
【０１６６】
なお、開示された実施形態は、任意の半導体装置をパッケージに適用できることが理解される。開示された実施形態の技術的解決策の様々な代替、改変、または等価物は、当業者には明らかになるであろう。
【図１】
2015503233.tif 000005
【図２】
2015503233.tif 000006
【図３】
2015503233.tif 000007
【図４】
2015503233.tif 000008
【図５】
2015503233.tif 000009
【図６】
2015503233.tif 000010
【図７】
2015503233.tif 000011
【図８】
2015503233.tif 000012
【図９】
2015503233.tif 000013
【図１０】
2015503233.tif 000014
【図１１】
2015503233.tif 000015
【図１２】
2015503233.tif 000016
【図１３】
2015503233.tif 000017
【図１４】
2015503233.tif 000018
【図１５】
2015503233.tif 000019
【図１６（Ａ）】
2015503233.tif 000020
【図１６（Ｂ）】
2015503233.tif 000021
【図１７（Ａ）】
2015503233.tif 000022
【図１７（Ｂ）】
2015503233.tif 000023
【図１８（Ａ）】
2015503233.tif 000024
【図１８（Ｂ）】
2015503233.tif 000025
【図１９（Ａ）】
2015503233.tif 000026
【図１９（Ｂ）】
2015503233.tif 000027
2015503233.tif 000028
2015503233.tif 000029
【図２１（Ａ）】
2015503233.tif 000030
【図２１（Ｂ）】
2015503233.tif 000031
【図２２（Ａ）】
2015503233.tif 000032
【図２２（Ｂ）】
2015503233.tif 000033
【図２３（Ａ）】
2015503233.tif 000034
【図２３（Ｂ）】
2015503233.tif 000035
【図２４（Ａ）】
2015503233.tif 000036
【図２４（Ｂ）】
2015503233.tif 000037
【図２５（Ａ）】
2015503233.tif 000038
【図２５（Ｂ）】
2015503233.tif 000039
【図２６（Ａ）】
2015503233.tif 000040
【図２６（Ｂ）】
2015503233.tif 000041
【図２７（Ａ）】
2015503233.tif 000042
【図２７（Ｂ）】
2015503233.tif 000043
【図２８（Ａ）】
2015503233.tif 000044
【図２８（Ｂ）】
2015503233.tif 000045
【図２９（Ａ）】
2015503233.tif 000046
【図２９（Ｂ）】
2015503233.tif 000047
【図３０（Ａ）】
2015503233.tif 000048
【図３０（Ｂ）】
2015503233.tif 000049
【図３１（Ａ）】
2015503233.tif 000050
【図３１（Ｂ）】
2015503233.tif 000051
【図３２（Ａ）】
2015503233.tif 000052
【図３２（Ｂ）】
2015503233.tif 000053
【図３３（Ａ）】
2015503233.tif 000054
【図３３（Ｂ）】
2015503233.tif 000055
【図３４（Ａ）】
2015503233.tif 000056
【図３４（Ｂ）】
2015503233.tif 000057
【図３５（Ａ）】
2015503233.tif 000058
【図３５（Ｂ）】
2015503233.tif 000059
【図３６（Ａ）】
2015503233.tif 000060
【図３６（Ｂ）】
2015503233.tif 000061
【図３７（Ａ）】
2015503233.tif 000062
【図３７（Ｂ）】
2015503233.tif 000063
【図３８（Ａ）】
2015503233.tif 000064
【図３８（Ｂ）】
2015503233.tif 000065
【図３９（Ａ）】
2015503233.tif 000066
【図３９（Ｂ）】
2015503233.tif 000067
【図４０（Ａ）】
2015503233.tif 000068
【図４０（Ｂ）】
2015503233.tif 000069
【図４１（Ａ）】
2015503233.tif 000070
【図４１（Ｂ）】
2015503233.tif 000071
【図４２（Ａ）】
2015503233.tif 000072
【図４２（Ｂ）】
2015503233.tif 000073
【図４３（Ａ）】
2015503233.tif 000074
【図４３（Ｂ）】
2015503233.tif 000075
【図４４（Ａ）】
2015503233.tif 000076
【図４４（Ｂ）】
2015503233.tif 000077
【図４５（Ａ）】
2015503233.tif 000078
【図４５（Ｂ）】
2015503233.tif 000079
【図４６（Ａ）】
2015503233.tif 000080
【図４６（Ｂ）】
2015503233.tif 000081
【図４７（Ａ）】
2015503233.tif 000082
【図４７（Ｂ）】
2015503233.tif 000083
【図４８（Ａ）】
2015503233.tif 000084
【図４８（Ｂ）】
2015503233.tif 000085
【図４９（Ａ）】
2015503233.tif 000086
【図４９（Ｂ）】
2015503233.tif 000087
【図５０（Ａ）】
2015503233.tif 000088
【図５０（Ｂ）】
2015503233.tif 000089
【図５１（Ａ）】
2015503233.tif 000090
【図５１（Ｂ）】
2015503233.tif 000091
【図５２（Ａ）】
2015503233.tif 000092
【図５２（Ｂ）】
2015503233.tif 000093
【図５３（Ａ）】
2015503233.tif 000094
【図５３（Ｂ）】
2015503233.tif 000095
【図５４（Ａ）】
2015503233.tif 000096
【図５４（Ｂ）】
2015503233.tif 000097
【図５５（Ａ）】
2015503233.tif 000098
【図５５（Ｂ）】
2015503233.tif 000099
【図５６（Ａ）】
2015503233.tif 000100
【図５６（Ｂ）】
2015503233.tif 000101
【図５７（Ａ）】
2015503233.tif 000102
【図５７（Ｂ）】
2015503233.tif 000103
【図５８（Ａ）】
2015503233.tif 000104
【図５８（Ｂ）】
2015503233.tif 000105
【図５９（Ａ）】
2015503233.tif 000106
【図５９（Ｂ）】
2015503233.tif 000107
【図６０（Ａ）】
2015503233.tif 000108
【図６０（Ｂ）】
2015503233.tif 000109
【図６１（Ａ）】
2015503233.tif 000110
【図６１（Ｂ）】
2015503233.tif 000111
【図６２（Ａ）】
2015503233.tif 000112
【図６２（Ｂ）】
2015503233.tif 000113
【図６３（Ａ）】
2015503233.tif 000114
【図６３（Ｂ）】
2015503233.tif 000115
【図６４（Ａ）】
2015503233.tif 000116
【図６４（Ｂ）】
2015503233.tif 000117
【図６５（Ａ）】
2015503233.tif 000118
【図６５（Ｂ）】
2015503233.tif 000119
【図６６（Ａ）】
2015503233.tif 000120
【図６６（Ｂ）】
2015503233.tif 000121
【図６７（Ａ）】
2015503233.tif 000122
【図６７（Ｂ）】
2015503233.tif 000123
【図６８（Ａ）】
2015503233.tif 000124
【図６８（Ｂ）】
2015503233.tif 000125
【図６９（Ａ）】
2015503233.tif 000126
【図６９（Ｂ）】
2015503233.tif 000127
【図７０（Ａ）】
2015503233.tif 000128
【図７０（Ｂ）】
2015503233.tif 000129
【図７１（Ａ）】
2015503233.tif 000130
【図７１（Ｂ）】
2015503233.tif 000131
【図７２（Ａ）】
2015503233.tif 000132
【図７２（Ｂ）】
2015503233.tif 000133
【図７３（Ａ）】
2015503233.tif 000134
【図７３（Ｂ）】
2015503233.tif 000135
【図７４（Ａ）】
2015503233.tif 000136
【図７４（Ｂ）】
2015503233.tif 000137
【図７５（Ａ）】
2015503233.tif 000138
【図７５（Ｂ）】
2015503233.tif 000139
【図７６（Ａ）】
2015503233.tif 000140
【図７６（Ｂ）】
2015503233.tif 000141
【図７７（Ａ）】
2015503233.tif 000142
【図７７（Ｂ）】
2015503233.tif 000143
【図７８（Ａ）】
2015503233.tif 000144
【図７８（Ｂ）】
2015503233.tif 000145
【図７９（Ａ）】
2015503233.tif 000146
【図７９（Ｂ）】
2015503233.tif 000147
【図８０】
2015503233.tif 000148
【図８１】
2015503233.tif 000149
【図８２】
2015503233.tif 000150
【国際調査報告】
2015503233.tif 000151
2015503233.tif 000152
2015503233.tif 000153